(57)【要約】  本開示は無線通信システムにおけるネットワーク管理側及びユーザー装置側に用いられる装置及び方法、並びに中央管理装置及び方法を提供する。無線通信システムにおけるネットワーク管理側に用いられる装置は、無線通信システムによってサービスされるエリア内の特定のユーザー装置の分布に関するユーザー特性を取得するように配置された取得ユニットと、取得ユニットにより取得されたユーザー特性によって、特定のユーザー装置が使用する無線伝送リソースプールにおけるリソースの分割を確定するように配置された確定ユニットとを含む。【選択図】図１
2019502331.tif 000002
【特許請求の範囲】
【請求項１】
無線通信システムにおけるネットワーク管理側に用いられる装置であって、
前記無線通信システムによってサービスされるエリア内の特定のユーザー装置の分布に関するユーザー特性を取得するように配置された取得ユニットと、
前記取得ユニットが取得したユーザー特性によって、前記特定のユーザー装置が使用する無線伝送リソースプールにおけるリソースの分割を確定するように配置された確定ユニットと、を含む装置。
【請求項２】
前記確定ユニットによって確定された前記分割の情報を前記特定のユーザー装置へ送信するように配置された送受信ユニットをさらに含む、請求項１に記載の装置。  
【請求項３】
前記特定のユーザー装置の前記ユーザー特性は、前記エリア内の前記特定のユーザー装置の密度情報によって表される、請求項１に記載の装置。  
【請求項４】
前記特定のユーザー装置の前記ユーザー特性は、前記エリア内の単位時間に情報を送信する特定のユーザー装置の密度である、請求項１に記載の装置。  
【請求項５】
前記特定のユーザー装置の分布に関するユーザー特性を記憶し更新するように配置された記憶ユニットをさらに含み、
前記取得ユニットはさらに、前記記憶ユニット内のユーザー特性を問い合わせるように配置された、請求項１に記載の装置。
【請求項６】
前記特定のユーザー装置は、前記無線通信システムによってサービスされる第１の特定のユーザー装置と、第２の無線通信システムによってサービスされる第２の特定のユーザー装置とを含み、前記第２の無線通信システムによってサービスされるエリアは、前記無線通信システムによってサービスされるエリアと少なくとも部分的に重複し、前記取得ユニットは、重複エリアについて、前記第１の特定のユーザー装置の分布に関する第１のユーザー特性及び前記第２の特定のユーザー装置の分布に関する第２のユーザー特性を取得し、前記第１のユーザー特性と前記第２のユーザー特性を結合して前記重複エリア内の特定のユーザー装置の前記分布に関するユーザー特性を取得するように配置された、請求項１に記載の装置。
【請求項７】
前記取得ユニットは、前記第２の無線通信システムから前記第２のユーザー特性を取得し、前記第１のユーザー特性を前記第２の無線通信システムに提供するように配置された、請求項６に記載の装置。
【請求項８】
前記第１のユーザー特性と前記第２のユーザー特性は、各々の特定のユーザー装置のアクセス操作及び切断操作に応答して更新される方法、周期的に更新される方法の少なくとも１つの方法でそれぞれ更新される、請求項６に記載の装置。
【請求項９】
前記分割の情報は、スペクトル次元における無線伝送リソースプールの分割の粒度を含み、前記無線伝送リソースプールは、前記分割の粒度に従って複数の基本リソース単位に分割され、各々の特定のユーザー装置は１つの基本リソース単位を使用して通信を行う、請求項１に記載の装置。
【請求項１０】
前記分割の粒度は、前記無線伝送リソースプールにおける基本リソース単位の配置方案に１対１で対応する、請求項９に記載の装置。
【請求項１１】
前記分割の粒度は、前記エリア内の前記特定のユーザー装置の密度が大きいほど、メッセージの承認率が高く、前記分割の粒度が細かくなるように設定される、請求項９に記載の装置。
【請求項１２】
前記分割の粒度は、前記特定のユーザー装置の通信品質とメッセージの承認率が所定のレベルに維持されることを保証する条件で、前記基本リソース単位の数が最も少なくなるように設定される、請求項９に記載の装置。
【請求項１３】
前記確定ユニットは、前記リソースの分割を周期的に計算する、及び／又は、取得した分布の変化が所定の範囲を超える場合に前記リソースの分割を計算するように配置された、請求項１に記載の装置。
【請求項１４】
前記取得ユニットは、中央管理装置から前記ユーザー特性を取得するように配置され、前記中央管理装置は前記エリア内の複数の無線通信システムの操作を調整する、請求項１に記載の装置。
【請求項１５】
前記特定のユーザー装置は、カーネットワーキングユーザー装置、又は、スペクトルアクセスシステムにおいて優先アクセスライセンスを持っている無線通信システムのユーザー装置である、請求項１に記載の装置。
【請求項１６】
無線通信システムにおけるネットワーク管理側に用いられる装置であって、
前記無線通信システムによってサービスされるエリアには複数のサブエリアが含まれ、
前記装置は、
前記無線通信システムによってサービスされる各サブエリア内の特定のユーザー装置の分布に関するユーザー特性を取得するように配置された取得ユニットと、
前記取得ユニットが取得した各サブエリア内のユーザー特性によって、前記各サブエリア内の特定のユーザー装置が使用する無線伝送リソースの分割を確定するように配置された確定ユニットと、を含む装置。
【請求項１７】
無線通信システムにおけるユーザー装置側に用いられる装置であって、
当該ユーザー装置を識別する装置タイプを含む接続要求を生成するように配置された要求生成ユニットと、
ネットワーク管理装置から受信した、前記接続要求に基づく無線伝送リソースプールの分割に関する情報に基づいて、使用するリソースを選択するように配置された選択ユニットと、を含む装置。
【請求項１８】
前記接続要求を前記ネットワーク管理装置へ送信し、前記ネットワーク管理装置から前記分割の情報を受信するように配置された送受信ユニットをさらに含む、請求項１７に記載の装置。
【請求項１９】
前記接続要求は、前記ユーザー装置の位置情報をさらに含む請求項１７に記載の装置。
【請求項２０】
前記分割の情報は、スペクトル次元における前記無線伝送リソースプールの分割の粒度を含み、前記無線伝送リソースプールは、前記分割の粒度に従って複数の基本リソース単位に分割され、前記選択ユニットはスペクトル検知を利用して、使用可能な基本リソース単位を見つける、請求項１７に記載の装置。
【請求項２１】
前記分割の粒度は、前記無線伝送リソースプールにおける基本リソース単位の配置方案に１対１で対応する、請求項２０に記載の装置。
【請求項２２】
前記ユーザー装置が異なるエリアに位置する場合に、前記分割の情報が異なる、請求項１７に記載の装置。
【請求項２３】
前記ユーザー装置の装置タイプは、カーネットワーキングユーザー装置、又は、スペクトルアクセスシステムにおいて優先アクセスライセンスを持っている無線通信システムのユーザー装置を含む、請求項１７に記載の装置。
【請求項２４】
複数の無線通信システムに用いられる中央管理装置であって、
管理する各々の無線通信システムにおける特定のユーザー装置の分布に関するユーザー特性の情報を取得するように配置された取得ユニットと、
前記取得ユニットが取得したユーザー特性の情報によって、前記特定のユーザー装置が使用する無線伝送リソースプールにおけるリソースの分割を確定するように配置された計算ユニットと、
前記リソースの分割の情報を前記複数の無線通信システムへ通知するように配置された通知ユニットと、を含む中央管理装置。
【請求項２５】
前記ユーザー特性の情報は、前記特定のユーザー装置の密度情報によって表される、請求項２４に記載の中央管理装置。
【請求項２６】
前記計算ユニットは、前記分割を周期的に計算する、及び／又は、前記ユーザー特性の情報の変化が所定の範囲を超える場合に前記分割を計算する、請求項２４に記載の中央管理装置。
【請求項２７】
前記分割の情報は、スペクトル次元における前記無線伝送リソースプールの分割の粒度を含み、前記無線伝送リソースプールは、前記分割の粒度に従って複数の基本リソース単位に分割され、各特定のユーザー装置は１つの基本リソース単位を使用して通信を行う、請求項２４に記載の中央管理装置。
【請求項２８】
前記計算ユニットは、前記特定のユーザー装置の通信品質とメッセージの承認率が所定のレベルに維持されることを保証する条件で、前記基本リソース単位の数が最も少なくなるように、前記分割の粒度を計算する、請求項２７に記載の中央管理装置。
【請求項２９】
前記特定のユーザー装置は、カーネットワーキングユーザー装置、又は、スペクトルアクセスシステムにおいて優先アクセスライセンスを持っている無線通信システムのユーザー装置である、請求項２４に記載の中央管理装置。
【請求項３０】
無線通信システムにおけるネットワーク管理側に用いられる方法であって、
前記無線通信システムによってサービスされるエリア内の特定のユーザー装置の分布に関するユーザー特性を取得することと、
取得したユーザー特性によって、前記特定のユーザー装置が使用する無線伝送リソースプールにおけるリソースの分割を確定することと、を含む方法。
【請求項３１】
無線通信システムにおけるユーザー装置側に用いられる方法であって、
当該ユーザー装置を識別する装置タイプを含む接続要求を生成することと、
ネットワーク管理装置から受信した、前記接続要求に基づく無線伝送リソースプールの分割に関する情報によって、使用するリソースを選択することと、を含む方法。
【請求項３２】
複数の無線通信システムに用いられる中央管理方法であって、
管理する各々の無線通信システムにおける特定のユーザー装置の分布に関するユーザー特性の情報を取得することと、
取得したユーザー特性の情報によって、前記特定のユーザー装置が使用する無線伝送リソースプールにおけるリソースの分割を計算することと、
前記リソースの分割の情報を前記複数の無線通信システムに通知することと、を含む方法。
【発明の詳細な説明】
【技術分野】
【０００１】
本出願は、２０１６年１月１４日に中国特許庁に提出された、出願番号が２０１６１００２３６５３．０であって、発明の名称が「ネットワーク管理側及びユーザー装置側の装置及び方法、中央管理装置」である中国特許出願の優先権を主張し、その全内容は、参照により本明細書に援用する。
【０００２】
本発明の実施例は、全体的に無線通信の分野に関し、具体的に、無線通信システムにおけるネットワーク管理側に用いられる装置及び方法、無線通信システムにおけるユーザー装置側に用いられる装置及び方法、並びに複数の無線通信システムに用いられる中央管理装置及び方法に関する。
【背景技術】
【０００３】
コンピュータ及び通信技術の急速な発展に伴い、無線装置及び無線データは指数関数的速度で増加しており、無線通信システムの共存に関連した無線ビジネスケースの多様性もまた、毎日変わりつつあり、無限のビジネスチャンスをもたらしている。従って、より多くの業界の注目を集めている。複数のユーザー装置が特定の無線伝送リソースを共有する場合、どのようにリソースを効率的に割り当てるか、及びどのように通信システム又はオペレータ間でリソースの共有を実現するかが、解決すべき問題になっている。
【発明の概要】
【発明が解決しようとする課題】
【０００４】
例えば、最初、自動車メーカーが、車両システム内部及び車両間の走行安全管理に使用されるカーネットワーキング（Ｖ２Ｖ）の設計製造を共同で開始し、交通事故の発生頻度を低減することを目指したが、現在、車載通信装置のネットワーク化、ネットワークを利用した情報の伝達・共有、車両の安全性向上などに進化してきた。しかし、道路上での多くの車載装置は、複数の異なる基準、又は同一基準の複数の異なるオペレータに従属する可能性があり、これは、車両間の情報の交換を複雑にさせて、遅延及びシグナリングオーバーヘッドを増加させる。そのため、安全情報の伝達のリアルタイム性を保証するためには、この遅延を減らすことが望ましい。
【課題を解決するための手段】
【０００５】
本発明のいくつかの態様の基本的な理解を提供するために、本発明の簡単な概要を以下に示す。当該概要は、本発明の網羅的な概要ではないと理解すべきである。それは、本発明の肝心又は重要な部分を特定することを意図するものではなく、本発明の範囲を限定することを意図するものでもない。その目的は、後述するより詳細な説明の前置きとして、簡素化された形でいくつかの概念を説明することに過ぎない。
【０００６】
本出願の一態様によれば、無線通信システムにおけるネットワーク管理側に用いられる装置を提供しており、無線通信システムによってサービスされるエリア内の特定のユーザー装置の分布に関するユーザー特性を取得するように配置された取得ユニットと、取得ユニットが取得したユーザー特性によって、特定のユーザー装置が使用する無線伝送リソースプールにおけるリソースの分割を確定するように配置された確定ユニットとを含む。
【０００７】
本出願の別の態様によれば、無線通信システムにおけるユーザー装置側に用いられる装置を提供しており、当該ユーザー装置を識別する装置タイプを含む接続要求を生成するように配置された要求生成ユニットと、ネットワーク管理装置から受信した、当該接続要求に基づく無線伝送リソースプールの分割に関する情報によって、使用するリソースを選択するように配置された選択ユニットとを含む。
【０００８】
本出願の別の態様によれば、複数の無線通信システムに用いられる中央管理装置を提供しており、管理する各々の無線通信システムにおける特定のユーザー装置の分布に関するユーザー特性の情報を取得するように配置された取得ユニットと、取得ユニットが取得したユーザー特性の情報によって、特定のユーザー装置が使用する無線伝送リソースプールにおけるリソースの分割を計算するように配置された計算ユニットと、リソースの分割の情報を複数の無線通信システムに通知するように配置された通知ユニットとを含む。
【０００９】
本出願の一態様によれば、無線通信システムにおけるネットワーク管理側に用いられる方法を提供しており、無線通信システムによってサービスされるエリア内の特定のユーザー装置の分布に関するユーザー特性を取得し、取得したユーザー特性によって、特定のユーザー装置が使用する無線伝送リソースプールにおけるリソースの分割を確定することを含む。
【００１０】
本出願の別の態様によれば、無線通信システムにおけるユーザー装置側に用いられる方法を提供しており、当該ユーザー装置を識別する装置タイプを含む接続要求を生成し、ネットワーク管理装置から受信した、前記接続要求に基づく無線伝送リソースプールの分割に関する情報によって、使用するリソースを選択すること、を含む。
【００１１】
本出願の別の態様によれば、複数の無線通信システムに用いられる中央管理方法を提供しており、管理する各々の無線通信システムにおける特定のユーザー装置の分布に関するユーザー特性の情報を取得し、取得したユーザー特性の情報によって、特定のユーザー装置が使用する無線伝送リソースプールにおけるリソースの分割を計算し、リソースの分割の情報を複数の無線通信システムに通知することを含む。
【００１２】
本発明の他の態様によれば、無線通信システムにおけるネットワーク管理側及びユーザー装置側に用いられる方法、並びに複数の無線通信システムに用いられる中央管理方法を実現するためのコンピュータープログラムコードとコンピュータプログラム製品、及びこれらの方法を実現するためのコンピュータープログラムコードが記録されたコンピュータ可読媒体をさらに提供している。
【００１３】
本出願の実施例において、エリア内の特定のユーザー装置の分布に関するユーザー特性によって、使用する無線伝送リソースプールにおけるリソースの分割を確定することで、以下の利点のうち少なくとも１つを実現することができる。即ち、無線伝送リソースの利用効率が効果的に保証され、情報交換の遅延が低減され、使用可能な伝送リソースを選択する時間遅延及び目標ユーザーが情報を正しく受信する時間遅延が低減され、情報交換のためのシグナリングオーバーヘッドが低減される。
【００１４】
本発明の上記及び他の利点は、添付図面を参照する本発明の好ましい実施例の以下の詳細な説明からより明らかになる。
【図面の簡単な説明】
【００１５】
本発明の上記及びその他の利点、特徴をさらに説明するために、以下、本発明の特定の実施形態を添付図面を参照してさらに詳細に説明する。添付図面は、以下の詳細な説明と共に本明細書に組み込まれ、本明細書の一部を形成する。同じ機能及び構造を有する構成要素は同一参照符号によって示されている。これらの図面は、本発明の典型的な例のみを示しており、本発明の範囲を限定するものとみなされるべきではないことが理解すべきである。図面において、
【００１６】
【図１】本出願の一実施例による無線通信システムにおけるネットワーク管理側に用いられる装置を示す構成ブロック図である。
【図２】２つの無線通信システムによってサービスされるエリアが部分的に重複する概略図を示す。
【図３】本出願の一実施例による無線通信システムにおけるユーザー装置側に用いられる装置を示す構成ブロック図である。
【図４】本出願の一実施例による複数の無線通信システムに用いられる中央管理装置を示す構成ブロック図である。
【図５】１つの交差点のカーネットワーキングの車両の概略的な分布図を示す。
【図６】車両ＶとｅＮＢとの間の情報交換の手順を示す。
【図７】例示的な道路の分布設定を示す。
【図８】同一エリアに複数のオペレータが存在する場合のシグナリング流れの概略図を示す。
【図９】中央管理装置を使用して分割の粒度を計算する情報の流れの概略図を示す。
【図１０】スペクトルアクセスシステムにおいて複数のＰＡＬがリソースを共有する場合のシグナリング流れの概略図を示す。
【図１１】スペクトルアクセスシステムにおいて中央管理装置を採用して分割の粒度を計算する情報の流れの概略図を示す。
【図１２】１つの人口調査区の概略的な分布図を示す。
【図１３】本出願の一実施例による複数の無線通信システムにおけるネットワーク管理側に用いられる方法のフローチャートを示す。
【図１４】本出願の一実施例による複数の無線通信システムにおけるユーザー装置側に用いられる方法のフローチャートを示す。
【図１５】本出願の一実施例による複数の無線通信システムに用いられる中央管理方法のフローチャートを示す。
【図１６】本開示内容の技術を適用できるｅＮＢの概要構成の第１の例を示すブロック図である。
【図１７】本開示内容の技術を適用できるｅＮＢの概要構成の第２の例を示すブロック図である。
【図１８】本開示内容の技術を適用できるスマートフォンの概要構成の例を示すブロック図である。
【図１９】本開示内容の技術を適用できるカーナビゲーションの概要構成の例を示すブロック図である。
【図２０】本発明の実施例による方法及び／又は装置及び／又はシステムを実現できる汎用パーソナルコンピューターの例示的構成を示すブロック図である。
【発明を実施するための形態】
【００１７】
以下、本発明の例示的な実施例について添付図面を参照して説明する。明確化と簡潔さのために、実際の実施形態のすべての特徴が明細書に記述されているわけではない。しかし、システムや業務に関連する制約を満たすなど、開発者の具体的な目標を達成するように、そのような実際の実施例を開発する過程において多くの実施形態の特有の決定が行われなければならないことを理解されたい。これらの制約は実施形態によって異なる可能性がある。加えて、開発作業は非常に複雑で時間がかかるが、そのような開発作業は本開示の利益を得る当業者にとって日常的なものであることも理解されるべきである。
【００１８】
ここで、不必要な詳細によって本発明を不明瞭にすることを避けるために、本発明による方案に密接に関連する装置構造及び／又は処理ステップのみが図面に示され、本発明とはほとんど関係のない他の詳細は省略する。
【００１９】
＜第１の実施例＞
図１は、本出願の一実施例による無線通信システムにおいて用いられる装置１００の構成ブロック図を示した。図１に示すように、当該装置１００は、取得ユニット１０１及び確定ユニット１０２を含み、前記取得ユニット１０１は、無線通信システムによってサービスされるエリア内の特定のユーザー装置の、分布に関するユーザー特性を取得するように配置され、前記確定ユニット１０２は、取得ユニット１０１が取得したユーザー特性によって、特定のユーザー装置が使用する無線伝送リソースプールにおけるリソースの分割を確定するように配置されている。
【００２０】
その中、ここで説明する無線通信システムは、例えば、ネットワーク管理装置及びユーザー装置を含み、ネットワーク管理装置は、ネットワーク管理装置とユーザー装置との間の無線通信を実現するように、ユーザー装置と協働する。限定的ではない例として、無線通信システムは、ＬＴＥシステム、コグニティブ無線通信システムなどのセルラー移動通信システムを含むことができる。無線通信システムは、そのカバレッジエリア内のユーザー装置に無線通信サービスを提供する。同一エリア内に複数の無線通信システムが存在し、無線通信システムのそれぞれが当該エリア内の自分によってサービスされるユーザー装置に無線通信サービスを提供してもよいことが理解すべきである。これらの無線通信システムは、異なるタイプに属するか、又は異なる通信プロトコルを使用してもよく、カバレッジエリアは完全に一致しなくてもよい。
【００２１】
ネットワーク管理装置は、基地局、又は、ユーザー装置と協働して使用される任意の無線通信管理装置であってもよく、例えば、ネットワーク管理装置は、例えばＣ−ＲＡＮアーキテクチャで高速に接続されたＢＢＵプール内のいずれかのＢＢＵなどのＣ−ＲＡＮ（Ｃｌｏｕｄ−ＲＡＮ／Ｃｅｎｔｒａｌｉｚｅｄ−ＲＡＮ）構造の（セルの概念が存在しない可能性がある）ベースバンドクラウド装置、又はコグニティブ無線通信システムにおけるコーディネータなどであってもよい。
【００２２】
ユーザー装置は、セルラー通信機能を有する移動端末、スマートビークル、スマートウェアラブル装置などの様々な移動端末であってもよく、小型セル基地局などのマクロ基地局と無線通信を行うインフラストラクチャであってもよい。ユーザー装置は一つまたは複数を含み、ユーザー装置が複数である場合、各ユーザー装置のタイプは異なってもよい。ユーザー装置のタイプは、サービスタイプ、通信品質要求などに応じて分けることができる。特定のタイプのユーザー装置（以下、特定のユーザー装置ともいう）のリソース割り当て方式は、他のタイプのユーザー装置のリソース割り当て方式と異なる、及び／又は、特定の無線伝送リソースを使用するように設定されてもよい。ユーザー装置は、例えば、接続要求における特定の識別子によって、そのタイプを指示することができる。
【００２３】
ここで、特定のユーザー装置は例えば、カーネットワーキング（Ｖ２Ｖ）ユーザー装置、又はスペクトルアクセスシステム（Ｓｐｅｃｔｒｕｍ  Ａｃｃｅｓｓ  Ｓｙｓｔｅｍ、ＳＡＳ）において優先アクセスライセンスを持っている無線通信システムのユーザー装置であってもよい。理解を容易にするために、本技術について、これらの２つの具体例と関連して後で詳細に説明する。但し、本技術の適用範囲は、これらの詳細な説明によって制限されないことを理解されたい。
【００２４】
上記のネットワーク管理装置は、取得ユニット１０１が特定のユーザー装置の分布に関するユーザー特性を取得する装置１００を含んでもよい。そのようなユーザー特性は、無線通信システムによってサービスされるエリア内の特定のユーザー装置の分布状況を反映する。
【００２５】
一例では、特定のユーザー装置のユーザー特性は、そのエリア内の特定のユーザー装置の密度情報によって表されてもよい。前記密度情報は、単位エリア内の特定のユーザー装置の数を統計することによって決定することができる。別の例では、前記分布特性は、前記エリア内の単位時間に情報を送信する特定のユーザー装置の密度であってもよい。前記情報は、セキュリティサービスに属する情報であってもよい。同様に、前記エリア内の単位時間当たり情報を送信する特定のユーザー装置の密度が、当該エリア内の単位時間内に情報を送信する特定のユーザーの数と前記エリア面積の比率である。
【００２６】
また、当該ユーザー特性は、特定のユーザー装置の具体的な空間的分布などの他のパラメータによって表されてもよい。以下の詳細な説明では、密度情報を例として使用するが、これは限定的ではないことを理解すべきである。
【００２７】
一例では、前記無線通信システムによってサービスされるエリアは複数のサブエリアを含み、前記取得ユニット１０１は、各サブエリア内の特定のユーザー装置の分布に関するユーザー特性をそれぞれ取得することができることによって、後述する確定ユニット１０２は、異なるサブエリア内の特定のユーザー装置の分布に関するユーザー特性によって、異なる無線伝送リソースの分割を設定できる。エリアを複数のサブエリアに分割することで、異なるサブエリア内の特定のユーザー装置が使用する無線伝送リソースをより正確に分割することができるので、無線伝送リソースを選択する時間遅延及び情報交換の時間遅延をより低減することができる。
【００２８】
１つのエリア内に１つの前記無線通信システムのみが存在する場合に、取得ユニット１０１は、当該エリア内の前記無線通信システムにおける特定のユーザー装置のユーザー特性のみを取得すればよい。
【００２９】
１つのエリアに、例えば、２つ以上のオペレータによって操作される無線通信システムなどの２つ以上の無線通信システムが存在する場合、取得ユニット１０１は他の無線通信システムによってサービスされる特定のユーザー装置の分布に関するユーザー特性の影響を考える必要もある。説明を容易にするために、装置１００が位置する無線通信システムを第１の無線通信システムと呼び、他の無線通信システムを第２の無線通信システムを呼ぶ。「第１の」および「第２の」は単に区別するためのものであり、何らの限定を表すものではないことを理解されたい。
【００３０】
このような場合、特定のユーザー装置は、第１の無線通信システムによってサービスされる第１の特定のユーザー装置及び第２の無線通信システムによってサービスされる第２の特定のユーザー装置を含み、第２の無線通信システムによってサービスされるエリアは、第１の無線通信システムによってサービスされるエリアと少なくとも部分的に重複し、当該重複エリアについて、取得ユニット１０１は、第１の特定のユーザー装置の分布に関する第１のユーザー特性及び第２の特定のユーザー装置の分布に関する第２のユーザー特性を取得し、第１のユーザー特性及び第２のユーザー特性を結合して重複エリアにおける特定のユーザー装置の分布に関するユーザー特性を取得するように配置されている。重複エリアは例えば、あるサブエリア、又はサブエリアの一部に対応することができる。
【００３１】
具体的に、取得ユニット１０１は、第２の無線通信システムから第２のユーザー特性を取得し、第１のユーザー特性を第２の無線通信システムへ提供するように配置することができる。つまり、異なる無線通信システムの間は、特定のユーザー装置の分布に関するユーザー特性を交換することによって、各無線通信システムに重複エリアにおける特定のユーザー装置の実際の分布状況を取得させることができる。
【００３２】
ユーザー特性がエリア内の特定のユーザー装置の密度情報によって表される例では、取得ユニット１０１は、重複エリアにおける第１の特定のユーザー装置の密度に関する第１の密度情報及び第２の無線通信システムからの重複エリアにおける第２の特定のユーザー装置の密度に関する第２の密度情報を加算して、重複エリアにおける特定のユーザー装置の密度情報とすることができる。また、前記第１の密度情報及び第２の密度情報をその他の何らかの重み付け計算方法によって計算して前記重複エリア内の特定のユーザー装置の密度情報を取得することもできる。
【００３３】
非重複エリア（例えば、他のサブエリア及び／又はサブエリアの他の部分に対応する）について、前記第１の無線通信システム及び第２の無線通信システムはそれぞれの取得ユニット１０１によってそれぞれの重複エリア以外のエリアの分布に関するユーザー特性を取得することができる。
【００３４】
具体的に、図２を参照して、ある場面では、前記第１の無線通信システムによってサービスされるエリア及び第２の無線通信システムによってサービスされるエリアは部分的に重複し、密度情報は、当該エリアの各部分で異なる可能性がある。図２に示すように、Ａは、第１の無線通信システムによってサービスされるエリアであり、Ｂは、第２の無線通信システムによってサービスされるエリアであり、Ｃは、第１の無線通信システム及び第２の無線通信システムによって共にサービスされるエリア（即ち、重複エリア）である。エリアＣについて、特定のユーザー装置は、第１の無線通信システムの特定のユーザー装置だけでなく、第２の無線通信システムの特定のユーザー装置を含むので、Ｃにおけるユーザー装置の密度は、Ｃ以外のＡの他の部分のユーザー装置の密度と異なる可能性がある。
【００３５】
１つのエリアが複数の無線通信システムによってサービスされる場合に、当該複数の無線通信システムの取得ユニット１０１の間は、直接的に交換することで前記ユーザー特性を取得することができる。また、一例では、複数の無線通信システムは、１つの中央管理装置を介して１つのエリア内の通信操作を調整することで、複数の無線通信システムの取得ユニット１０１は、前記中央管理装置を介して、それぞれの無線通信システムが取得した分布に関するユーザー特性を交換することができる。例えば、当該中央管理装置は、エリア又はサブエリアにおける分布に関するユーザー特性を総合的に管理して各通信システムの取得ユニットに提供する。
【００３６】
前記無線通信システムによってサービスされるエリアにおける特定のユーザー装置の分布は、絶えず変化する可能性があるので、前記分布に関するユーザー特性は、異なる時間帯に相応的に変化する可能性があることで、前記取得ユニット１０１はさらに、前記エリア内の特定のユーザー装置に関するユーザー特性を周期的に更新するように配置されてもよい。上記のように、１つのエリア内に前記第１の無線通信システム及び第２の無線通信システムが同時に存在する場合、同様に、前記取得ユニット１０１はさらに、前記第１のユーザー特性及び第２のユーザー特性を周期的に更新するように配置されてもよい。
【００３７】
さらに、前記取得ユニット１０１は、各特定のユーザー装置のアクセス操作及び切断操作に応答して更新することと、周期的に更新することの少なくとも１つに基づいて更新するように配置される。例えば、分布に関するユーザー特性が特定のユーザー装置の密度によって表される場合、取得ユニット１０１は、単位面積内の特定のユーザー装置の数を統計することによって密度情報を取得すると共に、密度情報を、当該数が変化する時及び／又は周期的に相応的に更新する。具体的に、特定のユーザー装置のアクセス又は切断操作が発生する時に、特定のユーザー装置の数が変える。各特定のユーザー装置のアクセス操作には、特定のユーザー装置の上記エリア内の起動及び当該エリアに入るように切り替えることが含まれる。これに対応して、各特定のユーザー装置の切断操作には、特定のユーザー装置の上述エリア内の切断及び当該エリアから離れるように切り替えることが含まれる。周期的に更新される時に、更新の周期によって、密度情報の正確性が決定される。
【００３８】
分布に関するユーザー特性がエリア内の単位時間に情報を送信する特定のユーザー装置の密度によって表される場合、取得ユニット１０１は例えば、特定のユーザー装置の通信状態（例えば、情報の送信の開始又は情報の送信の停止）の変化に応答して密度情報を更新する及び／又は、密度情報を周期的に更新することができる。同様に、周期的に更新される時に、更新の周期によって、密度情報の正確性が決定される。
【００３９】
取得ユニット１０１は、分布に関するユーザー特性を更新することによって、当該ユーザー特性を正確的に取得することで、後述する確定ユニット１０２が無線伝送リソースの時間的動的分割を実現することができる。
【００４０】
確定ユニット１０２は、取得ユニット１０１が取得したユーザー特性によって、特定のユーザー装置が使用する無線伝送リソースプールにおけるリソースの分割を確定する。その中、無線伝送リソースプールは、特定のユーザー装置に配分する無線伝送リソースの集合であり、当該集合はいくつかの部分に分けることができ、複数の特定のユーザー装置によって同時に使用することができる。
【００４１】
その中、無線伝送リソースプールはスペクトルの次元で分割することができ、例えば、１つの分割の粒度に従って、スペクトル次元で複数の基本リソース単位に分割て、各特定のユーザー装置は、１つの基本リソース単位を通信に使用することができる。例えば、各特定のユーザー装置は、基本リソース単位をランダムに使用することができる。
【００４２】
一例では、エリア内の特定のユーザー装置の分布が比較的に密集している場合、例えば、密度が比較的に高い場合、前記確定ユニット１０２は、前記無線送信リソースプール内のリソースをより細かい分割の粒度で分割することで、できるだけ多くの特定ユーザーの無線伝送リソースに対する需要を満たすことができる。逆に、エリア内の特定のユーザー装置の分布が低密度のように疎である場合、前記確定ユニット１０２は、無線送信資源プール内のソースを粗い分割の粒度で分割することで、各特定のユーザー装置がより多くの伝送リソースを使用して送信するようにすることができる。分割の粒度の設定を用いることにより、無線伝送リソースを使用する特定のユーザー装置の数によって無線伝送リソースの分割を調整することができて、通信品質を保証しつつ高いリソース利用効率を実現し、特定のユーザー装置のリソースを選択する時間を効果的に低減することができる。
【００４３】
さらに、一例では、前記確定ユニット１０２は、エリア内の前記ユーザー特性及びメッセージの承認率に基づいて、無線送信リソースプールにおけるリソースの分割を決定する。その中、メッセージの承認率は、基本リソース単位の数と同時に到着するメッセージの数（即ち、無線送信リソースを同時に使用しようとする特定のユーザー装置の数）の比率である。ユーザー特性及びメッセージの承認率の２つの要素に基づいて無線伝送リソースプールを分割するため、リソース利用効率を保証しつつある程度のユーザー装置のアクセス成功率を確保することができ、さらに、情報交換の遅延を低減し、使用可能な伝送リソースの選択及び情報を正しく受信するための目標ユーザーの時間遅延を低減し、情報交換のシグナリングオーバーヘッドを低下することができる。
【００４４】
具体的に、分割の粒度は、エリア内の特定のユーザー装置の密度が大きいほど、メッセージの承認率が高く、分割の粒度が細かくなるように設定される。無線送信リソースプールのサイズが固定された場合、分割の粒度が細かいほど、基本リソース単位の数が多くなるので、より多くの特定のユーザー装置によって同時に使用されることができる。
【００４５】
一例として、分割の粒度は、特定のユーザー装置の通信品質とメッセージの承認率が所定のレベルに維持されることを保証する条件で、基本リソース単位の数が最も少なくなるように設定することができる。その中、通信品質は、例えば、信号対干渉雑音比で表すことができる。上記の２つの制約条件によって、分割の粒度の設定は最終的に最適化問題となって、線形計画法、ゲーム理論、グラフ理論などを含むがこれに限定されない様々な最適化アルゴリズムを使用して実現することができる。このように分割の粒度を設定することにより、通信システムの特性に基づいて無線伝送リソースプールの分割を合理的に行うことができ、さらに、特定のユーザー装置の無線伝送リソースの使用の時間遅延が大幅に低減されると共に、高い無線リソース利用率を維持し、特定ユーザー装置の通信品質を保証することができる。
【００４６】
シグナリングの伝送を簡素化するために、分割の粒度は、無線伝送リソースプールにおける基本リソース単位の配置方案に１対１で対応するように設定することができる。言い換えれば、装置１００と特定のユーザー装置との間では、分割の粒度と、各分割の粒度で各基本リソース単位のスペクトル次元における開始及び終了位置との対応関係が予め定められ、これは例えば、ユーザー装置の工場設定に書き込まれるか、又は、ユーザー装置が電源投入される時に自動的に設定することによって実現するか、又は、装置１００と特定のユーザー装置との間のシグナリングによって実現することができる。このように、特定のユーザー装置が分割の粒度を知った時に、各基本リソース単位の具体的な配置を知ることができる。
【００４７】
エリア内の特定のユーザー装置の分布が変化する時に、正確性を保証するために、確定ユニット１０２は、リソースの分割を再計算する必要がある。そのため、確定ユニット１０２は、当該リソースの分割を周期的に計算する及び／又は、取得した分布の変化が所定の範囲を超える時に当該リソースの分割を計算するように配置されてもよい。例えば、ユーザー装置の密度を複数のレベルに分けて、密度がレベル間で変化する時に、リソースの分割を再計算する、及び／又は、所定の時間ごとにリソースの分割を再計算してもよい。上記のように、当該リソースの分割は、スペクトル次元における無線伝送リソースプールの分割の粒度であってもよい。上述した方式によって、リソースの再割り当て及びシステムの再配置の頻度を低減することができる。
【００４８】
より大きな柔軟性を得るためには、実際の適応場面によって、基本リソース単位を相互に等しくないように分割することもできることは理解すべきである。
【００４９】
一方、再度図２を参照すると、Ｃ内のユーザー装置の密度は、Ｃ以外のＡ内の他の部分のユーザー装置の密度と異なる可能性があるので、確定ユニット１０２がそれに対して確定したリソースの分割が異なる可能性もある。例えば、特定のユーザー装置が他の部分から部分Ｃに移動した場合に、リソースの分割の変化が発生する可能性がある。そのため、無線伝送リソースプールにおけるリソースの分割は、時間的な動的属性だけでなく、空間的な動的属性を有している。上記のように、前記エリアが複数の前記サブエリアに分けられる場合に、前記確定ユニット１０２はさらに、各サブエリアのユーザー特性によって、各サブエリア内の特定のユーザー装置が使用する無線伝送リソースの分割を確定することができる。
【００５０】
さらに、図１を参照して、前記装置１００はさらに、前記確定ユニット１０２が確定した前記分割の情報を前記特定のユーザー装置へ送信するように配置された送受信ユニット１０３を含んでもよい。このような場合、特定のユーザー装置は分割の情報を受信することで、当該情報によって伝送リソースを選択することができる。分割の情報は例えば、スペクトル次元における無線伝送リソースプールの分割の粒度を含んでもよい。
【００５１】
なお、送受信ユニット１０３は、分割が変化する場合に、当該変化を特定のユーザー装置へ通知してもよい。その代わり／さらに、送受信ユニット１０３は分割の変化を特定のユーザー装置へ周期的に通知してもよい。
【００５２】
さらに、エリアで複数の無線通信システムがサービスする場合に、複数の無線通信システムの取得ユニット１０２は、それぞれの送受信ユニット１０３によって前記分布に関するユーザー特性を交換することができる。
【００５３】
別の例では、装置１００の送受信ユニット１０３は、分割の情報を特定のユーザー装置へ通知せず、装置１００が当該分割によって、特定のユーザー装置に対してリソースの割り当てを直接的に行い、ダウンリンクの情報により特定のユーザー装置に通知してもよく、この場合、特定のユーザー装置が分割に関する情報を知る必要がない。
【００５４】
上記した分割の粒度が無線伝送リソースプールにおける基本リソース単位の配置方案に１対１で対応する例では、分割の粒度を特定のユーザー装置へ通知するだけでよいので、情報量が小さく、シグナリングが簡単になっている。また、より大きな柔軟性を得るために、分割情報には、分割の粒度だけでなく、具体的な配置方案等のより多い内容が含まれてもよい。基本リソース単位が等しくないように設定される場合に、対応する分割の情報の内容も変更する。
【００５５】
さらに、図１を参照して、前記装置１００はさらに、エリア（又はサブエリア）内の前記特定のユーザー装置の分布に関するユーザー特性を記憶し更新するように配置された記憶ユニット１０４を含んでもよい。前記取得ユニット１０２はさらに、前記記憶ユニット１０４におけるユーザー特性を問い合わせるように配置されてもよい。このような場合、無線通信システムは自身によってサービスされる特定のユーザー装置の分布に関するユーザー特性を保存する。
【００５６】
上記した設定によって、オペレータ又は通信システム間の分布に関するユーザー特性の交換を実現することができ、無線伝送リソースに対する利用を相互に調整して、利用効率を向上させると共に、情報交換の遅延及びシグナリングオーバーヘッドを低減するようにすることができる。また、リソース利用の相互調整は、マルチシステムの共存の実現にも役立つ。
【００５７】
前記装置１００における取得ユニット１０１及び確定ユニット１０２は、１つ又は複数の処理回路によって実現することができる。
【００５８】
＜第２の実施例＞
以下、本出願の一実施例による無線通信システムにおけるユーザー装置側に用いられる装置２００の構成ブロック図について図３を参照して説明し、装置２００は、当該ユーザー装置を識別する装置タイプを含む接続要求を生成するように配置された要求生成ユニット２０１と、ネットワーク管理装置から受信した、接続要求に基づく無線伝送リソースプールの分割に関する情報によって、使用するリソースを選択するように配置された選択ユニット２０２と、を含む。
【００５９】
装置２００が位置するユーザー装置が特定タイプのユーザー装置に属して、要求生成ユニット２０１が接続要求を生成する場合に、基地局などのネットワーク管理装置が当該ユーザー装置のタイプを知ることができるように、当該タイプの情報を含める。同様に、本実施例における特定のユーザー装置は例えば、カーネットワーキングユーザー装置又はＳＡＳにおいて優先アクセスライセンスを持っている無線通信システムのユーザー装置であってもよい。ネットワーク管理装置は例えば、当該タイプ情報に基づいてそのサービスエリア内の、当該タイプに属する特定のユーザー装置の分布に関するユーザー特性を取得し、当該ユーザー特性によって、特定のユーザー装置が使用する無線伝送リソースプールの分割を確定し、当該分割の情報をユーザー装置に送信することができる。また、当該接続要求には、基地局などのネットワーク管理装置が当該ユーザー装置が位置するエリア又はサブエリアを判断するように、ユーザー装置の位置情報が含まれてもよく、これによって、さらに正確的な分布に関するユーザー特性を取得し、さらに、無線伝送リソースの分割を最適的に確定することができる。
【００６０】
選択ユニット２０２は、当該分割の情報によって使用するリソースを選択し、例えば、リソースのランダムな選択及びスペクトル検知によって使用可能なリソースを見つける。一例では、ネットワーク管理装置によってユーザー装置に対してリソースの割り当てを直接的に行ってもよい。
【００６１】
その中、分割の情報には、スペクトル次元における無線伝送リソースプールの分割の粒度が含まれ、無線伝送リソースプールは、当該分割の粒度に従って複数の基本リソース単位に分割され、選択ユニット２０２はスペクトル検知により使用可能な基本リソース単位を見つけてもよい。具体的に、選択ユニット２０２は、１つの基本リソース単位をランダムに選択してスペクトル検知を行い、それがアイドルであれば当該基本リソース単位を通信に使用し、そうでなければ、アイドルの基本リソース単位が見つけられるまで、再度、他の基本リソース単位をランダムに選択してスペクトル検知を行う。
【００６２】
シグナリングを簡素化するために、分割の粒度と無線伝送リソースプールにおける基本リソース単位の配置方案とを１対１で対応するように設定することができる。このような場合、受信した分割の情報は、分割の粒度の情報のみを含んでよく、選択ユニット２０２は、分割の粒度によって具体的な分割方式を確定して、さらに、そのうちの１つの基本リソース単位を選択して通信する。
【００６３】
図３に点線枠で示すように、装置２００はさらに、接続要求をネットワーク管理装置へ送信し、ネットワーク管理装置から分割の情報を受信するように配置された送受信ユニット２０３を含んでもよい。
【００６４】
ユーザー装置が異なるエリアに位置する場合に、受信した分割の情報が異なる可能性がある。例えば、ユーザー装置が異なるセルに位置する場合に、又は、同一セルの異なる位置、例えば、図２に示すエリアＣ及びＣ以外のエリアＡの領域に位置する場合に、リソースの分割が異なる可能性がある。
【００６５】
また、分割が変更された場合、送受信ユニット２０３は、ネットワーク管理装置から分割情報の変化を受信してもよく、選択ユニット２０２は、変更した分割情報に基づいて、使用するリソースを選択する。
【００６６】
＜第３の実施例＞
図４は、本出願の一実施例による複数の無線通信システムに用いられる中央管理装置３００の構成ブロック図を示し、図４に示すように、当該中央管理装置３００は、管理する無線通信システムのそれぞれにおける特定のユーザー装置の分布に関するユーザー特性の情報を取得するように配置された取得ユニット３０１と、取得ユニット３０１が取得したユーザー特性の情報によって、特定のユーザー装置が使用する無線伝送リソースプールにおけるリソースの分割を計算するように配置された計算ユニット３０２と、リソースの分割の情報を複数の無線通信システムへ通知するように配置された通知ユニット３０３を含む。
【００６７】
当該実施例では、中央管理装置３００は、管理する無線通信システムのそれぞれから特定のユーザー装置の、分布に関するユーザー特性を取得するだけでなく、当該ユーザー特性によって無線伝送リソースの分割を計算し、当該分割を無線通信システムのそれぞれに通知する。即ち、第１の実施例と比べると、中央管理装置３００の計算ユニット３０２は、確定ユニット１０２の機能を実行するので、ネットワーク管理側の操作を簡略化することができる。
【００６８】
その中、ユーザー特性の情報は、特定のユーザー装置の密度情報によって表されてもよい。密度は例えば、単位エリア内のユーザー装置の数によって表される。密度情報の更新は、それぞれの特定のユーザー装置のアクセス操作及び切断操作に応答して行う及び／又は、周期的に行うことができる。計算ユニット３０２は、計算の時に、例えば、各無線通信システムのユーザー装置の密度の加算によって、相応的なエリア内の最終的なユーザー装置の密度を得ることができる。なお、分布に関するユーザー特性は、エリア内の単位時間に情報を送信する特定のユーザー装置の密度によって表されてもよい。同様に、この場合の密度は、単位エリア内の単位時間に情報を送信する特定のユーザー装置の数であって、かつ、特定のユーザー装置の通信状態（例えば、情報の送信の開始又は情報の送信の停止）の変化に応答して更新される及び／又は周期的に更新することができる。
【００６９】
計算ユニット３０２は、分割を周期的に計算する及び／又は、ユーザー特性の情報の変化が所定の範囲を超える時に分割を計算してもよい。計算ユニット３０２は、第１の実施例における確定ユニット１０２と類似的に実現してもよく、具体的な計算方法は、実際の適用場面及び通信システムモデルに応じて変更することができる。
【００７０】
一例として、分割の情報は、スペクトル次元における無線伝送リソースプールの分割の粒度を含み、無線伝送リソースプールは、分割の粒度に従って複数の基本リソース単位に分割され、それぞれの特定のユーザー装置が１つの基本リソース単位を通信に使用する。上記のように、分割の粒度は、特定のユーザー装置の密度に関連する。分割の粒度は、エリア内の特定のユーザー装置の密度が大きいほど、メッセージの承認率が高く、分割の粒度が細かくなるように設定することができる。具体的に、分割の粒度は、特定のユーザー装置の通信品質とメッセージの承認率が所定のレベルに維持されることを保証する条件で、基本リソース単位の数量が最も少なくなるように設定することができる。その中、通信品質は例えば、信号対干渉雑音比で表すことができる。基本リソース単位の数が最も少なくなるように設定されることで、情報伝達の遅延をできるだけ低減することができ、特に、データ伝送のリアルタイム性の要求が高い場合に適する。分割の粒度の計算は最終的に最適化問題になって、線形計画法、ゲーム理論、グラフ理論などを含むがこれに限定されない様々な最適化アルゴリズムを使用して実現することができる。
【００７１】
同様に、本実施例における特定のユーザー装置は例えば、カーネットワーキングユーザー装置、又は、ＳＡＳにおいて優先アクセスライセンスを持っている無線通信システムのユーザー装置であってもよい。
【００７２】
＜第４の実施例＞
以下、本技術の適用についてカーネットワーキング及びスペクトルアクセスシステムを適用例として説明する。
【００７３】
上記のように、カーネットワーキングの確立は、安全情報の伝達と共有のためであり、安全情報の特殊性によって、通信システム内及び異なる通信システムの間に低遅延の情報チャネルを確立し、即ち、オペレータ間の低遅延の情報交換を実現することが望まれる。当該の例では、特定のユーザー装置は例えば、Ｖ２Ｖ業務をサポートする車両又は車両における通信装置である。
【００７４】
図５は、１つの交差点のカーネットワーキングの車両の概略的な分布図を示した。まず、図５に示すエリアにはＶ２Ｖ業務サービスを提供するオペレータＡが１つのみあると仮定すると、装置１００は例えば、図５示すｅＮＢに設けてもよく、第１の実施例では説明した装置１００の詳細は本実施例に適用することができ、ここで繰り返さない。
【００７５】
図６は、車両ＶとｅＮＢとの間の情報交換の手順を示した。図６に示すように、車両Ｖは、Ｖ２Ｖ装置接続要求をｅＮＢへ送信することでｅＮＢにアクセスし、接続要求では、ｅＮＢに対して、それがＶ２Ｖ装置であることを指示する。例示的に、第２の実施例に記載の装置２００を車両Ｖに設けることができる。
【００７６】
ｅＮＢにおける装置１００は、当該車両がＶ２Ｖ装置であることを識別した後、管理される車両密度情報を（具体的に、例えば記憶ユニット１０４によって）更新する。当該車両密度情報は、ｅＮＢサービス範囲内でアクセスされるＶ２Ｖ装置の数／道路面積として設定することができる。
【００７７】
その中、道路面積は、以下の推定方法を用いて得られることができる。実際の道路分布調査結果を交通管理部門から入手し、そのデータを利用して正確的に計算し、いくつかの道路分布の基本モデル及びパラメトリック仮定を使用して、一定の地理的範囲内の道路面積の大まかな概算を行い、例えば、図７は、道路の長さ、幅、間隔エリアなどのパラメータを含む道路分布設定を示し、これらのパラメータによって、単位地理的範囲内の道路面積の割合を推定することで、任意の地理的範囲内の道路面積を得ることができる。
【００７８】
続いて、装置１００は、リソースの分割の情報を車両Ｖへ送信する、又は、装置１００はこの時に、分割の情報を送信せず、以下の操作を直接的に実行する。即ち、装置１００（具体的に、確定ユニット１０２）は例えば、車両密度情報の変化が所定の範囲を超えるかどうか、及び／又は、前回の再計算から所定の時間経過したかどうかに応じて、リソースの分割を再計算するかどうかを決定し、車両密度情報の変化が所定の範囲を超える、又は、前回の再計算から所定の時間経過した場合、確定ユニット１０２は、変化した密度情報によって、分割を再確定し、装置１００（具体的に、送受信ユニット１０２）は、ダウンリンク情報によって、更新された分割の情報を車両Ｖに通知する。なお、分割が変更された時に、装置１００は、当該分割の変更を全ての既に接続されたＶ２Ｖ装置へ送信する必要があって、これらのＶ２Ｖ装置がリソースの選択を再度行うようにする。
【００７９】
また、図６に示すように、車両Ｖは、例えばシャットダウンやｅＮＢのカバーレッジから離れるなどのｅＮＢとの接続が切断される時に、通常の動作に加えて、装置１００は、管理する車両密度情報を更新し、必要な時にリソースの分割を再計算する必要もある。
【００８０】
注意すべきことは、Ｖ２Ｖ業務において伝達する安全情報は一般的に、長さが固定された情報であるので、分割の複雑さ及び衝突確率を低減するために、全体的な無線伝送リソースプールをスペクトル次元で複数の基本リソース単位に均等に分けることができる。このように、分割の粒度を具体的な分割方式に１対１で対応することができ、それにより、粒度に対応する分割方式をＶ２Ｖ装置に予め配置し、Ｖ２Ｖ装置は、粒度の指示のみによってその具体的な分割を得ることができる。
【００８１】
密度情報によってリソース分割の粒度の計算を行う時に、具体的な方式はリソースの分割方法と密切に関連している。以下、公平性を保証する分散型リソース割り当て方法を例として説明する。リソースプールのスペクトル幅がＢであり、ＮＲ個の基本リソース単位に平均に分けられたと仮定すると、各リソース単位の幅はΔ＝Ｂ／ＮＲと表記され、いずれかのＶ２Ｖ装置は、そのうちから１つのリソース単位ｉを同じ確率でランダムに選択し、当該Ｖ２Ｖ装置は、ｉをスペクトル検知し、アイドルであれば、占有して情報を送信し、そうではなければ、再度、次のリソース単位ｊをランダムに選択し、使用可能なリソースが見つけられるまで繰り返す。
【００８２】
図５に示す分布図を参照すると、図におけるいずれかの辺の長さがｒである点線のボックス内のＮＲ個の基本リソース単位はちょうど繰り返さず一度だけ使用されると仮定する。一般性を失うことなく、リソース単位ｉの受信車両はちょうど円の中心ｏに位置し、送信車両と受信車両との距離が車両平均距離ｄであり、すると、受信車両が受信した信号強度は距離ｄに関連する関数Ｓ（ｄ）であり、その中、関数Ｓ（＊）は、具体的なチャネルモデルによって決定され、これらのチャネルモデルは様々な既存のモデルを使用することができ、ここで説明しない。４つの隣接する点線のボックスも同じ分布を有し、リソース単位ｉを多重利用する送信元は、各点線のボックスの中心を原点として、ｄを半径とする円内にあり、ｒ＞＞ｄである場合、円の中心に位置するように近似しているので、受信車両が受けた干渉は
【数１】
2019502331.tif 000003
であり、また、交差点の地理的位置の特殊性によって、４つの方向においてそれぞれ干渉元である車両が１つあり、即ち、ｎ＝４であると仮定することができる。受信車両が信号を正確的に復号することを保証するために、以下の不等式（２）に示すように、その信号対干渉雑音比ＳＩＮＲが所定の閾値ＳＩＮＲＴＨを超えることが保証されなければならない。
【００８３】
他のシステムパフォーマンス要求は、メッセージの承認率ρが所定の閾値ρＴＨを超えることが保証されなければならないことであり、不等式（３）に示すように、上記のとおり、メッセージの承認率ρは基本リソース単位の数ＮＲとメッセージ数ＮＭとの比として定義される。メッセージ数ＮＭの計算は等式（４）のように示し、Ａ（ｒ）は円内の道路面積を表し、λＶは車両密度を表し、θＭは各車両のメッセージ到着平均間隔を表し、Ｔ（Δ，ＬＭ，ｆＭ）は各メッセージ伝送の総時間を表し、さらに、基本リソース単位幅Δ、各メッセージ平均長さＬＭ及び各メッセージ送信平均頻度ｆＭの複合関数として表され、当該関数は具体的な無線通信システムに関連し、関数[＊]は切り上げ関数である。式（１）に示すように、最適化の目標は（２）〜（４）を満たす条件でＮＲの最小値を求めることである。即ち、基本リソース単位の数が最小になるようにし、これは、リソースプールにおいて情報受信を行う装置のブラインド検出に必要な時間を低減し、安全情報伝送の遅延を低下するためのことである。
【００８４】
【数２】
2019502331.tif 000004
【００８５】
【数３】
2019502331.tif 000005
【００８６】
【数４】
2019502331.tif 000006
【００８７】
【数５】
2019502331.tif 000007
【００８８】
理解すべきことは、上記が分割の粒度の例示的な計算方法だけであり、これに限られなく、具体的な適用場面のユーザー装置の分布、チャネルモデル、ユーザー装置到着、業務到着などに応じて、相違する計算を行うことができる。例えば、上記の計算では、干渉元になるＶ２Ｖ装置は均等に分布されると仮定するが、Ｖ２Ｖ装置が均等に分布されていない場合を考えてもよく、この場合、干渉元の位置によって干渉を計算する必要がある。
【００８９】
他の例では、図５に示すエリアには複数のオペレータが存在する可能性があり、例えば、オペレータＡとオペレータＢが共にＶ２Ｖ業務を提供している。車両ａがオペレータＡのｅＮＢ−Ａにアクセスし、車両ｂがオペレータＢのｅＮＢ−Ｂにアクセスすると仮定する。このような場合、以上単一のオペレータである場合に説明した各動作に加えて、車両密度情報を取得する時に他のペレーターによってサービスされる車両の密度情報を考える必要もある。図８には、同一エリアに複数のオペレータが存在する場合のシグナリング流れの概略図を示した。図８に示すように、図６と類似するように、ｅＮＢ−ＡとｅＮＢ−Ｂは、車両ａと車両ｂがＶ２Ｖ装置であることが識別された後、管理する車両密度情報をそれぞれ更新する。そのため、同一エリアをカバーするｅＮＢ−ＡとｅＮＢ−Ｂは、それぞれの車両密度情報λＶ，ａ、λＶ，ｂを交換する。ｅＮＢ−ＡとｅＮＢ−Ｂは、当該エリアの車両密度をλＶ＝λＶ，ａ＋λＶ，ｂとして計算し、当該密度情報によって、分割の粒度をそれぞれ計算する。計算する時に、以上の単一のオペレータである場合に使用される計算方法を使用することもでき、ここで説明を繰り返さない。その中、ｅＮＢ間の車両密度情報の交換は、各特定のユーザー装置のアクセス操作及び切断操作に応答して、及び／又は周期的に行われることであってもよい。
【００９０】
或いは、ｅＮＢ−ＡとｅＮＢ−Ｂは、それぞれの車両密度情報λＶ，ａ、λＶ，ｂを中央管理装置（調整装置とも呼ばれる）に報告し、当該中央管理装置は、エリア内の複数の無線通信システムの動作を調整し、例えば、当該エリア内の総的車両密度λＶ＝λＶ，ａ＋λＶ，ｂを計算し、例えばｅＮＢなどの各無線通信システムのネットワーク管理側装置に提供する。
【００９１】
なお、例えば、第三実施例における中央管理装置３００を使用して、さらに総的車両密度に基づいてリソースプールの分割を計算してもよい。図９は、中央管理装置を使用して分割の粒度を計算する情報流れの概略図を示した、図９に示すように、ｅＮＢ−ＡとｅＮＢ−Ｂはそれぞれ、その車両密度情報を中央管理装置へ報告し、中央管理装置は例えば、これらの車両密度情報に基づいてエリア内の総的車両密度を取得し、当該総的車両密度によって、リソースプールの分割、例えば、分割の粒度を再計算し、更新された分割の情報を各ｅＮＢに提供して、ｅＮＢによって、サービスされる車両に送信する。
【００９２】
なお、このような場合、中央管理装置はさらに、各無線通信システムから、分割の粒度を計算するのに必要な各種の情報を取得する。分割の粒度の計算方式は、上記の単一の無線通信システムのみが存在する場合の計算方式と同様にしてもよく、ここで説明を繰り返さない。
【００９３】
理解すべきことは、ここで車両密度をユーザー装置の分布に関するユーザー特性とするが、その代わり／さらに、他の分布特性を使用してもよく、例えば、前記分布特性は、前記エリア内の単位時間に情報を送信する特定のユーザー装置の密度、又は、実際のユーザー装置の空間的な分布であってもよい。他の分布特性を使用する場合、リソースの割り当てに対する計算は相応的に変更される。また、２つのオペレータが存在する場面を示したが、以上の説明は同様にそれ以上のオペレータが存在する場面に適用することができる。
【００９４】
以上、本技術についてカーネットワーキングを適用場面として説明したが、本技術の適用はこれに限られず、任意のマルチシステムの共存をサポートするリソース管理場面に適用できる。他の例として、以下、それがスペクトルアクセスシステム（ＳＡＳ）３．５ＧＨｚシステムマルチレベル共存システム管理に適用することについて説明する。
【００９５】
アメリカでは、３．５ＧＨｚ周波数帯域は、ずっと防衛部門レーダーシステムに適用されてきて、現在、連邦通信委員会（Ｆｅｄｅｒａｌ  Ｃｏｍｍｕｎｉｃａｔｉｏｎｓ  Ｃｏｍｍｉｓｓｉｏｎ，ＦＣＣ）は、当該周波数帯域をスペクトル共有の方式により商業に使用することについて検討している。当該共有システムはＳＡＳの一部であり、責任（ｉｎｃｕｍｂｅｎｔ）ユーザーレベルと、シチズンブロードバンドワイヤレスサービスの優先アクセスライセンス（ｐｒｉｏｒｉｔｙ  ａｃｃｅｓｓ  ｌｉｃｅｎｓｅ，ＰＡＬ）レベルと、シチズンブロードバンドワイヤレスサービスの一般的な承認アクセス（Ｇｅｎｅｒａｌ  Ａｕｔｈｏｒｉｚｅｄ  Ａｃｃｅｓｓ，ＧＡＡ）レベルとの３つのレベルを含み、責任（ｉｎｃｕｍｂｅｎｔ）ユーザーレベルは、最高のレベルを代表し、それをシチズンブロードバンドワイヤレスサービスのユーザーによる有害干渉から保護する必要があり、責任ユーザーには、上記した防衛部門レーダーシステム、固定衛星サービス、及び期間限定の特権陸上無線業務が含まれ、シチズンブロードバンドワイヤレスサービスの一般的な承認アクセス（Ｇｅｎｅｒａｌ  Ａｕｔｈｏｒｉｚｅｄ  Ａｃｃｅｓｓ，ＧＡＡ）レベルは、ＰＡＬをＧＡＡからの有害干渉から保護する必要がある。シチズンブロードバンドワイヤレスサービスは、人口調査区を単位してリソース割り当てを行うものであってもよく、ＰＡＬは例えば１０ＭＨｚを単位として３年を期限として配布し、各人口調査区の全てのＰＡＬが占める総的スペクトルが７０ＭＨｚを超えず、各ＰＡＬのスペクトルが４０ＭＨｚを超えない。ＧＡＡは、各高レベルのユーザーに対して有害干渉が発生しない前提の下で、３５５０−３６５０ＭＨｚ範囲内のスペクトルを使用することができる。
【００９６】
これから見ると、ＰＡＬは、適時性を有する排他的アクセスモードを提供する。しかし、例えば、いずれかのＰＡＬのユーザー数が多く他のＰＡＬのユーザー数が非常に少ないような、１つの人口調査区における複数のＰＡＬのユーザー数の分布が均等ではない場合に、複数のＰＡＬ間でリソースを共有する必要があり、それによって、リソースの利用率をより効果的に保証することができる。
【００９７】
優先アクセスライセンスの所持者であるＰＡＬ−ＡとＰＡＬ−Ｂとの２つが存在すると仮定すると、それぞれのユーザーＵＥ−ａとＵＥ−ｂへ業務をそれぞれ提供する。一例では、第１の実施例における装置１００をＰＡＬ−ＡとＰＡＬ−Ｂのネットワーク管理側に設け、即ち、ＰＡＬ−ＡとＰＡＬ−Ｂはリソースの分割をそれぞれ計算する。第１の実施例で説明された装置１００の詳細がいずれも本例に適用できると理解すべきであり、ここで説明を繰り返さない。
【００９８】
ＵＥ−ａとＵＥ−ｂはそれぞれＰＡＬ−ＡとＰＡＬ−Ｂにアクセスし、かつ、例えば接続要求でその業務タイプを指示する。装置１００は例えば、当該アクセスに応答して、例えばユーザー密度λＶ，ａ及びλＶ，ｂなどの当該業務タイプに関連するユーザー装置の分布特性を更新する。同様に、２つのＰＡＬ間でそれぞれのユーザー密度情報を交換することで、総的ユーザー密度λＶ＝λＶ，ａ＋λＶ，ｂを得ることができる。装置１００は、密度の変化が所定の範囲を超える場合、及び／又は、前回の再計算が所定の時間経過した場合に分割の粒度を再計算し、新しい分割の粒度をアクセスされるユーザー装置に提供する。関連する情報流れは図１０示すように、図８と類似し、ここで詳述しない。
【００９９】
なお、中央管理装置を設けてＰＡＬ−ＡとＰＡＬ−Ｂの動作を調整してもよい。この場合、ＰＡＬ−ＡとＰＡＬ−Ｂはそれぞれの密度情報λＶ，ａ及びλＶ，ｂを中央管理装置に報告し、中央管理装置は、分割の粒度を計算し、分割の粒度又はその変更をＰＡＬ−ＡとＰＡＬ−Ｂへ通知し、関連する情報流は図１１に示すように、図９と類似であり、ここで詳述しない。スペクトルアクセスシステムでは、中央管理装置は例えば、地理的位置データベース又はスペクトル管理装置に位置してもよい。
【０１００】
その中、分割の粒度の具体的な計算は、以上図３を参照して説明した方法と類似の方法を使用してもよく、干渉の計算のみが僅かに違う。図１２には、１つの人口調査区の分布図を示した。図にいずれかの辺の長さがｒ１である点線のボックスで１つの人口調査区を示すと仮定すると、各人口調査区は共に、ＳＡＳ  ３．５ＧＨｚシステムのＮＲ個の基本リソース単位を多重利用し、その中、ＮＲ個の基本リソース単位は、ＰＡＬ−ＡとＰＡＬ−Ｂに対応するリソースのスペクトル次元における分割によって得られる。図１２と図５の相違は受信ユーザーが受ける干渉の計算であり、グリッド分布の地理的位置の特殊性によって、隣接する８つのグリッドがいずれも、１つの干渉元ユーザーを有し、総的干渉数がｎ＝８であると仮定できる。その中、中心グリッドに隣接する４つのエリアの干渉は
【数６】
2019502331.tif 000008
として計算され、中心グリッド点に隣接する４つのエリアの干渉は
【数７】
2019502331.tif 000009
として計算され、そのため、総的干渉は
【数８】
2019502331.tif 000010
であり、他の計算はまだ式（１）から（４）を使用して行うことができる。
【０１０１】
ユーザー装置に基づく空間的な分布は、ＰＡＬ−ＡとＰＡＬ−Ｂ又はそれ以上の複数のＰＡＬの間でリソースを共有し、リソースの利用率をより効果的に保証することができる。
【０１０２】
理解すべきことは、以上カーネットワーキングとスペクトルアクセスシステムを例として本技術について説明したが、本技術の適用範囲はこれに限られず、任意の複数のユーザー装置が伝送リソースを共有する場面に適用可能である。
【０１０３】
＜第５の実施例＞
上記実施態様で無線通信システムにおけるネットワーク管理側とユーザー装置側の装置及び中央管理装置ついて説明する過程で、いくつかのプロセス又は方法がまた開示されたことは明らかである。以下、これらの方法の概要については、既に上で論じたいくつかの詳細を繰り返すことなく説明する。ただし、これらの方法は、無線通信システムにおけるネットワーク管理側とユーザー装置側の装置及び中央管理装置の説明過程で開示されたが、説明されたこれらの構成要素を必ずしも使用するものではなく、又は、必ずしもこれらの構成要素によって実行することではない。例えば、無線通信システムにおけるネットワーク管理側とユーザー装置側の装置及び中央管理装置の実施態様は、ハードウェア及び／又はファームウェアによって部分的又は完全に実現されてもよく、以下に説明する方法は、無線通信システムにおけるネットワーク管理側とユーザー装置側の装置及び中央管理装置のハードウェア及び／又はファームウェアを使用することができるが、コンピュータ実行可能プログラムによって完全的に実現することもできる。
【０１０４】
図１３は、本出願の一実施例による無線通信のネットワーク管理側に用いられる方法のフローチャートを示す。当該方法は、無線通信システムによってサービスされるエリア内の特定のユーザー装置の、分布に関するユーザー特性を取得し（Ｓ１１）、取得したユーザー特性によって、特定のユーザー装置が使用する無線伝送リソースプールにおけるリソースの分割を確定する（Ｓ１３）ことを含む。
【０１０５】
ここで、ステップＳ１１では、エリア内に１つの無線通信システムしか存在しない場合、上記ユーザー特性を直接的に取得することができる。そうでなければ、エリア内に２つ以上の無線通信システムが存在する場合、特定のユーザー装置は、第１の無線通信システムによってサービスされる第１の特定のユーザー装置と、第２の無線通信システムによってサービスされる第２の特定のユーザー装置を含み、第２の無線通信システムによってサービスされるエリアは、第１の無線通信システムによってサービスされるエリアと少なくとも部分的に重複し、重複エリアについて、第１の特定のユーザー装置の分布に関する第１のユーザー特性及び第２の特定のユーザー装置の分布に関する第２のユーザー特性を取得し、第１のユーザー特性及び第２のユーザー特性を結合して重複エリアにおける特定のユーザー装置の分布に関するユーザー特性を取得する。一例では、第２の無線通信システムから第２のユーザー特性を取得することができる。なお、第１のユーザー特性が第２の無線通信システムに提供されてもよい。
【０１０６】
ユーザー特性は、第１のユーザー特性及び第２のユーザー特性を含み、それぞれの特定のユーザー装置のアクセス操作及び切断操作に応答して更新されること、周期的に更新されることの少なくとも１つでそれぞれ更新することができる。
【０１０７】
図１３に１つの点線枠で示すように、上記方法は、特定のユーザー装置の分布に関するユーザー特性を記憶し更新するステップＳ１２を含んでもよく、ステップＳ１１では、記憶されたユーザー特性を問い合わせることによって取得することができる。
【０１０８】
一方、ステップＳ１１では、中央管理装置から分布に関するユーザー特性を受信し、中央管理装置がエリア内の複数の無線通信システムの操作を調整してもよい。
【０１０９】
例として、特定のユーザー装置のユーザー特性はエリア内の特定のユーザー装置の密度情報によって表すことができる。或いは、特定のユーザー装置のユーザー特性はエリア内の単位時間内に情報を送信する特定のユーザー装置の密度情報によって表すことができる。
【０１１０】
ステップＳ１３では、ステップＳ１１における分布特性によって、無線伝送リソースプールにおけるリソースを分割する。例えば、ある分割の粒度に従って、スペクトル次元で無線伝送リソースプールを複数の基本リソース単位に分割することができ、各特定のユーザー装置は１つの基本リソース単位を通信に使用し、この使用はランダムであってもよい。分割の粒度は、無線伝送リソースプールにおける基本リソース単位の配置方案に１対１で対応するように設定することができる。
【０１１１】
分割の粒度は、エリア内の特定のユーザー装置の密度が大きいほど、メッセージの承認率が高く、分割の粒度が細かくなるように設定することができる。例えば、分割の粒度は、特定のユーザー装置の通信品質とメッセージの承認率が所定のレベルに維持されることを保証する条件で、基本リソース単位の数が最も少なくなるように設定されることで、情報伝送の遅延をできるだけ低減することができる。
【０１１２】
ステップＳ１３におけるリソースの分割は、周期的に行われる、及び／又は、取得した分布の変化が所定の範囲を超える時に行われることができる。
【０１１３】
図１３に別の点線枠で示すように、上記の方法は、確定ユニットが確定した分割の情報を特定のユーザー装置へ送信するステップＳ１４をさらに含んでもよい。一例では、分割の情報は、スペクトル次元における無線伝送リソースプールの分割の粒度を含む。
【０１１４】
図１４は、本出願の一実施例による無線通信システムにおけるユーザー装置側に用いられる方法のフローチャートを示した。当該方法は、当該ユーザー装置を識別する装置タイプを含む接続要求を生成し（Ｓ２１）、ネットワーク管理装置から受信した、前記接続要求に基づく無線伝送リソースプールの分割に関する情報によって使用するリソースを選択する（Ｓ２４）ことを含む。
【０１１５】
図１４に点線枠で示すように、上記の方法は、接続要求をネットワーク管理装置へ送信し（Ｓ２２）、ネットワーク管理装置から分割の情報を受信する（Ｓ２３）ことをさらに含む。
【０１１６】
分割の情報は、スペクトル次元における無線伝送リソースプールの分割の粒度を含み、無線伝送リソースプールは、前記分割の粒度に従って、複数の基本リソース単位に分割され、ステップＳ２４では、スペクトル検知を利用して、使用可能な基本リソース単位を見つけてもよい。例えば、分割の粒度は無線伝送リソースプールにおける基本リソース単位の配置方案に１対１で対応することができる。分割の粒度の設定は上記した実施例では既に詳細的に説明したので、ここで繰り返さない。
【０１１７】
ユーザー装置が異なるエリアに位置する場合に、分割の情報が異なる可能性がある。
【０１１８】
図１５は、本出願の一実施例による複数の無線通信システムに用いられる中央管理方法を示した。管理する無線通信システムのそれぞれにおける特定のユーザー装置の、分布に関するユーザー特性の情報を取得し（Ｓ３１）、取得したユーザー特性の情報によって特定のユーザー装置が使用する無線伝送リソースプールにおけるリソースの分割を確定し（Ｓ３２）、リソースの分割の情報を複数の無線通信システムに通知する（Ｓ３３）。
【０１１９】
その中、ユーザー特性の情報は、特定のユーザー装置の密度情報によって表すことができる。ステップＳ３２は、周期的に実行する、及び／又は、ユーザー特性の情報の変化が所定の範囲を超える時に実行することができる。
【０１２０】
分割の情報は、スペクトル次元における無線伝送リソースプールの分割の粒度を含み、無線伝送リソースプールは、当該分割の粒度に従って複数の基本リソース単位に分割され、特定のユーザー装置のそれぞれは１つの基本リソース単位を通信に使用してもよい。分割の粒度は、エリア内の特定のユーザー装置の密度が大きいほど、メッセージの承認率が高く、分割の粒度が細かくなるように設定されてもよい。
【０１２１】
ステップＳ３２では、分割の粒度を、特定のユーザー装置の通信品質とメッセージの承認率が所定のレベルに維持されることを保証する条件で、基本リソース単位の数が最も少なくなるように計算してもよい。
【０１２２】
その中、上記の特定のユーザー装置は、カーネットワーキングユーザー装置、又は、スペクトルアクセスシステムにおいて優先アクセスライセンスを持っている無線通信システムのユーザー装置であってもよい。
【０１２３】
なお、上記の各方法は、組み合わせて用いてもよいし、単独で用いてもよく、その詳細は第１から第３の実施例で詳細に説明したので、ここでは繰り返さない。
【０１２４】
＜適用例＞
本開示の技術は各種の製品に適用することができる。例えば、中央管理装置３００は、タワーサーバー、ラックサーバー、及びブレードサーバなどの任意のタイプのサーバーとして実現することができる。中央管理装置３００は、サーバーに搭載される制御モジュール（例えば、単一チップを含む集積回路モジュール、ブレードサーバのスロットに挿入されたカード又はブレード（ｂｌａｄｅ））であってもよい。
【０１２５】
なお、以上言及されたネットワーク管理側の装置は、例えばマクロｅＮＢや小ｅＮＢなどの任意のタイプの進化ノードＢ（ｅＮＢ）として実現することができる。小ｅＮＢは、例えばピコｅＮＢ、マイクロｅＮＢや家庭（フェムト）ｅＮＢなどの、マクロセルより小さいセルをカバーするｅＮＢであってもよい。その代わりに、基地局は、例えばＮｏｄｅＢや基地局トランシーバ（ＢＴＳ）などの任意の他のタイプの基地局として実現することができる。基地局は、無線通信を制御するように配置された主体（基地局装置とも呼ばれる）と、主体と異なるところに設けられる１つ又は複数のリモート無線ヘッド（ＲＲＨ）とを含んでもよい。また、後述する様々なタイプのユーザー装置はいずれも、基地局機能を一時的又は半永久的に実行することによって、基地局として動作できる。
【０１２６】
例えば、ユーザー装置は、携帯端末（例えばスマートフォン、タブレットパーソナルコンピューター（ＰＣ）、ノートＰＣ、携帯ゲーム端末、ポータブル／ドングルモバイルルーター、デジタル撮像装置）又は車載端末（例えばカーナビゲーション装置）として実現することができる。ユーザー装置はマシンツーマシン（Ｍ２Ｍ）通信を実行する端末（マシンタイプ通信（ＭＴＣ）端末とも呼ばれる）として実現することもできる。なお、ユーザー装置は、上記端末のうちの各端末に搭載された無線通信モジュール（例えば単一チップを含む集積回路モジュール）であってもよい。
【０１２７】
［基地局についての適用例］
（第１の適用例）
図１６は本開示の技術を適用できるｅＮＢの概略構成の第１の例を示すブロック図である。ｅＮＢ８００は１つ又は複数のアンテナ８１０及び基地局装置８２０を含む。基地局装置８２０と各アンテナ８１０はＲＦケーブルを介して互いに接続されてもよい。
【０１２８】
アンテナ８１０のそれぞれは単一又は複数のアンテナ素子を含み（例えば多入力多出力（ＭＩＭＯ）アンテナに含まれる複数のアンテナ素子）、基地局装置８２０の無線信号の送受信に使用される。図１６に示すように、ｅＮＢ８００は複数のアンテナ８１０を含んでもよい。  例えば、複数のアンテナ８１０はｅＮＢ８００に使用される複数の周波数帯域と互換性があり得る。図１６に、ｅＮＢ８００が複数のアンテナ８１０を含む例を示したが、ｅＮＢ８００が単一のアンテナ８１０を含んでもよい。
【０１２９】
基地局装置８２０は、コントローラ８２１、メモリ８２２、ネットワークインターフェース８２３及び無線通信インターフェース８２５を含む。
【０１３０】
コントローラ８２１は例えばＣＰＵ又はＤＳＰであって、基地局装置８２０の上位層の各種機能を動作させることができる。例えば、コントローラ８２１は無線通信インターフェース８２５で処理される信号におけるデータに基づいてデータパケットを生成し、ネットワークインターフェース８２３を介して、生成されたパケットを伝送する。コントローラ８２１は複数のベースバンドプロセッサからのデータをバンドルして、バンドルパケットを生成し、生成されたバンドルパケットを伝送することができる。コントローラ８２１は以下のような制御を実行する論理機能を有してもよく、当該制御は例えば、無線リソース制御、無線ベアラ制御、モビリティ管理、受付制御、スケジューリングなどである。当該制御は近くのｅＮＢ又はコアネットワークノードと結合して実行することができる。メモリ８２２はＲＡＭとＲＯＭを含み、コントローラ８２１が実行するプログラムや各種の制御データ（例えば、端末リスト、送信パワーデータ及びスケジューリングデータ）が記憶される。
【０１３１】
ネットワークインターフェース８２３は基地局装置８２０をコアネットワーク８２４の通信インターフェースに接続するためのものである。コントローラ８２１はネットワークインターフェース８２３を介してコアネットワークノード又は別のｅＮＢと通信することができる。この場合、ｅＮＢ８００とコアネットワークノード又は他のｅＮＢとは論理インターフェース（例えばＳ１インターフェースとＸ２インターフェース）によって互いに接続することができる。ネットワークインターフェース８２３は有線通信インターフェース又は無線バックホール回線用の無線通信インターフェースであってもよい。ネットワークインターフェース８２３が無線通信インターフェースであれば、無線通信インターフェース８２５によって使用される周波数帯域と比べると、ネットワークインターフェース８２３はより高い周波数帯域を無線通信に使用することができる。
【０１３２】
無線通信インターフェース８２５は任意のセルラー通信方式（例えば、ロングタームエボリューション（ＬＴＥ）やＬＴＥ−Ａｄｖａｎｃｅｄ）をサポートし、アンテナ８１０を介して、ｅＮＢ８００に位置するセルのうち端末への無線接続を提供する。無線通信インターフェース８２５は通常、例えばベースバンド（ＢＢ）プロセッサ８２６とＲＦ回路８２７を含むことができる。ＢＢプロセッサ８２６は例えば、符号化／復号化、変調／復調、多重化／多重化解除を実行するとともに、レイヤー（例えばＬ１、メディアアクセス制御（ＭＡＣ）、無線リンク制御（ＲＬＣ）、パケットデータアグリゲーションプロトコル（ＰＤＣＰ））の各種のタイプの信号処理を実行することができる。コントローラ８２１の代わりに、ＢＢプロセッサ８２６は上記の論理機能の一部又は全部を有してもよい。ＢＢプロセッサ８２６は通信制御プログラムが記憶されるメモリであってもよく、或いは、プログラムを実行するように配置されたプロセッサ及び関連する回路を含むモジュールであってもよい。プログラムの更新はＢＢプロセッサ８２６の機能を変更させることができる。当該モジュールは基地局装置８２０のスロットに挿入されたカード又はブレッドであってもよい。その代わりに、当該モジュールはカード又はブレッドに搭載されるチップであってもよい。同時に、ＲＦ回路８２７は、例えばミキサ、フィルタ、増幅器を含んで、アンテナ８１０を介して無線信号を送受信してもよい。
【０１３３】
図１６に示すように、無線通信インターフェース８２５は複数のＢＢプロセッサ８２６を含んでもよい。例えば、複数のＢＢプロセッサ８２６はｅＮＢ８００に使用される複数の周波数帯域と互換性があり得る。図１６に示すように、無線通信インターフェース８２５は複数のＲＦ回路８２７を含んでもよい。例えば、複数のＲＦ回路８２７は複数のアンテナ素子と互換性があり得る。図１６には、無線通信インターフェース８２５が複数のＢＢプロセッサ８２６と複数のＲＦ回路８２７を含む例を示したが、無線通信インターフェース８２５は単一のＢＢプロセッサ８２６又は単一のＲＦ回路８２７を含んでもよい。
【０１３４】
図１６に示すｅＮＢ８００において、図１により説明された送受信ユニット１０３は無線通信インターフェース８２５によって実現することができる。機能の少なくとも一部はコントローラ８２１によって実現することもできる。例えば、コントローラ８２１は取得ユニット１０１、確定ユニット１０２、及び記憶ユニット１０４の機能を実行することによって、分布に関するユーザー特性によって無線伝送リソースプールにおけるリソースの分割を確定することができる。
【０１３５】
（第２の適用例）
図１７は本開示の技術を適用できるｅＮＢの概略構成の第２の例を示すブロック図である。ｅＮＢ８３０は１つ又は複数のアンテナ８４０と、基地局装置８５０と、ＲＲＨ８６０とを含む。ＲＲＨ８６０と各アンテナ８４０はＲＦケーブルを介して互いに接続することができる。基地局装置８５０とＲＲＨ８６０は例えば光ファイバケーブルなどの高速回線を介して互いに接続することができる。
【０１３６】
アンテナ８４０のそれぞれは単一又は複数のアンテナ素子（例えば、ＭＩＭＯアンテナに含まれた複数のアンテナ素子）を含んで、ＲＲＨ８６０の無線信号の送受信に使用される。図１７に示すように、ｅＮＢ８３０は複数のアンテナ８４０を含んでもよい。例えば、複数のアンテナ８４０はｅＮＢ８３０によって使用される複数の周波数帯域と互換性があり得る。図１７には、ｅＮＢ８３０に複数のアンテナ８４０が含まれる例を示したが、ｅＮＢ８３０は単一のアンテナ８４０を含んでもよい。
【０１３７】
基地局装置８５０は、コントローラ８５１と、メモリ８５２と、ネットワークインターフェース８５３と、無線通信インターフェース８５５と、接続インターフェース８５７とを含む。コントローラ８５１、メモリ８５２、ネットワークインターフェース８５３は図１６を参照して説明したコントローラ８２１、メモリ８２２、ネットワークインターフェース８２３と同様である。
【０１３８】
無線通信インターフェース８５５は任意のセルラー通信方式（例えばＬＴＥやＬＴＥ−Ａｄｖａｎｃｅｄ）をサポートし、ＲＲＨ８６０とアンテナ８４０を介して、ＲＲＨ８６０に対応するセクタに位置する端末への無線通信を提供する。無線通信インターフェース８５５は通常、例えばＢＢプロセッサ８５６を含んでもよい。ＢＢプロセッサ８５６が接続インターフェース８５７を介してＲＲＨ８６０のＲＦ回路８６４に接続する以外、ＢＢプロセッサ８５６は、図１６を参照して説明したＢＢプロセッサ８２６と同様である。図１７に示すように、無線通信インターフェース８５５は複数のＢＢプロセッサ８５６を含んでもよい。例えば、複数ＢＢプロセッサ８５６はｅＮＢ８３０に使用される複数の周波数帯域と互換性があり得る。図１７に、無線通信インターフェース８５５に複数のＢＢプロセッサ８５６が含まれる例を示したが、無線通信インターフェース８５５は単一のＢＢプロセッサ８５６を含んでもよい。
【０１３９】
接続インターフェース８５７は基地局装置８５０（無線通信インターフェース８５５）をＲＲＨ８６０に接続するためのインターフェースである。接続インターフェース８５７は基地局装置８５０（無線通信インターフェース８５５）をＲＲＨ８６０に接続するための上記した高速回線における通信の通信モジュールであってもよい。
【０１４０】
ＲＲＨ８６０は接続インターフェース８６１と無線通信インターフェース８６３を含む。
【０１４１】
接続インターフェース８６１はＲＲＨ８６０（無線通信インターフェース８６３）を基地局装置８５０に接続するためのインターフェースである。接続インターフェース８６１は上記した高速回線における通信用の通信モジュールであってもよい。
【０１４２】
無線通信インターフェース８６３はアンテナ８４０を介して無線信号を送受信する。無線通信インターフェース８６３は通常、例えばＲＦ回路８６４を含んでもよい。ＲＦ回路８６４は例えばミキサ、フィルタ、増幅器を含んで、アンテナ８４０を介して無線信号を送受信してもよい。図１７に示すように、無線通信インターフェース８６３は複数のＲＦ回路８６４を含んでもよい。例えば、複数のＲＦ回路８６４は複数のアンテナ素子をサポートすることができる。図１７に、無線通信インターフェース８６３に複数のＲＦ回路８６４が含まれる例を示したが、無線通信インターフェース８６３は単一のＲＦ回路８６４を含んでもよい。
【０１４３】
図１７に示すｅＮＢ８３０において、図１により説明された送受信ユニット１０３は無線通信インターフェース８５５及び／又は無線通信インターフェース８６３によって実現することができる。機能の少なくとも一部はコントローラ８５１によって実現することもできる。例えば、コントローラ８５１は取得ユニット１０１、確定ユニット１０２、及び記憶ユニット１０４の機能を実行することによって、分布に関するユーザー特性によって無線伝送リソースプールにおけるリソースの分割を確定することができる。
【０１４４】
［ユーザー装置についての適用例］
（第１の適用例）
図１８は本開示の技術を適用できるスマートフォン９００の概略構成の例を示すブロック図である。スマートフォン９００はプロセッサ９０１、メモリ９０２、記憶装置９０３、外部接続インターフェース９０４、撮像装置９０６、センサ９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、電池９１８及び補助制御装置９１９を含む。
【０１４５】
プロセッサ９０１は、例えばＣＰＵ又はシステムオンチップ（ＳｏＣ）であって、スマートフォン９００のアプリケーション層と他の層の機能を制御することができる。メモリ９０２はＲＡＭとＲＯＭを含み、データ及びプロセッサ９０１によって実行されるプログラムが記憶される。記憶装置９０３は例えば半導体メモリやハードディスクなどの記憶媒体を含むことができる。外部接続インターフェース９０４は外部装置（例えばメモリカードとユニバーサルシリアルバス（ＵＳＢ）装置）をスマートフォン９００に接続するためのインターフェースである。
【０１４６】
撮像装置９０６は、イメージセンサー（例えば電荷結合装置（ＣＣＤ）と相補型金属酸化物半導体（ＣＭＯＳ））を含み、キャプチャ画像を生成する。センサ９０７は例えば測定センサ、ジャイロセンサ、地磁気センサ及び加速度センサのような１組みのセンサを含んでもよい。マイク９０８はスマートフォン９００に入力された音をオーディオ信号に変換する。入力装置９０９は例えば表示装置９１０のスクリーン上のタッチを検出するように配置されたタッチセンサー、キーパッド、キーボード、ボタン又はスイッチを含み、ユーザーから入力された動作又は情報を受信する。表示装置９１０はスクリーン（例えば液晶ディスプレイ（ＬＣＤ）と有機発光ダイオード（ＯＬＥＤ）ディスプレイ）を含み、スマートフォン９００の出力画像を表示する。スピーカ９１１はスマートフォン９００から出力したオーディオ信号を音に変換する。
【０１４７】
無線通信インターフェース９１２は、任意のセルラー通信方式（例えば、ＬＴＥやＬＴＥ−Ａｄｖａｎｃｅｄ）をサポートし、無線通信を実行する。無線通信インターフェース９１２は通常、例えばＢＢプロセッサ９１３とＲＦ回路９１４を含むことができる。ＢＢプロセッサ９１３は例えば、符号化／復号化、変調／復調、多重化／多重化解除を実行するとともに、無線通信に用いられる各種のタイプの信号処理を実行することができる。同時に、ＲＦ回路９１４は例えばミキサ、フィルタ、増幅器を含んで、アンテナ９１６を介して無線信号を送受信することができる。無線通信インターフェース９１２はその上にＢＢプロセッサ９１３とＲＦ回路９１４が集積化される１つのチップモジュールであってもよい。図１８に示すように、無線通信インターフェース９１２は複数のＢＢプロセッサ９１３と複数のＲＦ回路９１４を含んでもよい。図１８に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１４８】
なお、セルラー通信方式の以外、無線通信インターフェース９１２は、例えば短距離無線通信方式、近接通信方式や無線ローカルネットワーク（ＬＡＮ）方式などの別タイプの無線通信方式をサポートすることができる。この場合、無線通信インターフェース９１２は各種の無線通信方式に対するＢＢプロセッサ９１３とＲＦ回路９１４を含んでもよい。
【０１４９】
アンテナスイッチ９１５のそれぞれは、無線通信インターフェース９１２に含まれる複数の回路（例えば異なる無線通信方式に使用される回路）間でアンテナ９１６の接続先を切り替える。
【０１５０】
アンテナ９１６のそれぞれは単一又は複数のアンテナ素子（例えばＭＩＭＯアンテナに含まれた複数のアンテナ素子）を含んで、無線通信インターフェース９１２の無線信号の送受信に使用される。図１８に示すように、スマートフォン９００は複数のアンテナ９１６を含んでもよい。図１８に、スマートフォン９００に複数のアンテナ９１６が含まれる例を示したが、スマートフォン９００は単一のアンテナ９１６を含んでもよい。
【０１５１】
なお、スマートフォン９００は各種の無線通信方式に対するアンテナ９１６を含んでもよい。この場合に、アンテナスイッチ９１５はスマートフォン９００の配置から省略されてもよい。
【０１５２】
バス９１７はプロセッサ９０１、メモリ９０２、記憶装置９０３、外部接続インターフェース９０４、撮像装置９０６、センサ９０７、マイク９０８、入力装置９０９、表示装置９１０、スピーカ９１１、無線通信インターフェース９１２及び補助制御装置９１９を互いに接続する。電池９１８は給電線によって図１８に示すスマートフォン９００の各ブロックに電力を提供し、給電線は図面において部分的に点線によって表される。補助制御装置９１９は例えば睡眠モードでスマートフォン９００の最少の必要な機能を操作する。
【０１５３】
図１８に示すスマートフォン９００では、図３により説明された送受信ユニット２０３は、無線通信インターフェース９１２によって実現することができる。機能の少なくとも一部も、プロセッサ９０１又は補助制御装置９１９によって実現できる。例えば、プロセッサ９０１又は補助制御装置９１９は、要求生成ユニット２０１と選択ユニット２０２の機能を実行することによって、分布に関するユーザー特性に基づく無線伝送リソースプールにおけるリソースの選択を実行することができる。
【０１５４】
（第２の適用例）
図１９は本開示の技術を適用できるカーナビゲーション装置９２０の概略構成の例を示すブロック図である。カーナビゲーション装置９２０は、プロセッサ９２１、メモリ９２２、全球位置決めシステム（ＧＰＳ）モジュール９２４、センサ９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及び電池９３８を含む。
【０１５５】
プロセッサ９２１は例えばＣＰＵ又はＳｏＣであって、カーナビゲーション装置９２０のナビゲーション機能と他の機能を制御することができる。メモリ９２２はＲＡＭとＲＯＭを含み、データ及びプロセッサ９２１によって実行されるプログラムを記憶する。
【０１５６】
ＧＰＳモジュール９２４は、ＧＰＳ衛星から受信したＧＰＳ信号を使用してカーナビゲーション装置９２０の位置（例えば、緯度、経度、高度）を測定する。センサ９２５は例えばジャイロセンサ、地磁気センサ及び気圧センサなどの１組みのセンサを含んでもよい。データインターフェース９２６は図示しない端末を介して例えば車載ネットワーク９４１に接続し、車両が生成したデータ（例えば、車速データ）を取得する。
【０１５７】
コンテンツプレーヤー９２７は、記憶媒体（例えば、ＣＤとＤＶＤ）に記憶されたコンテンツを再生して、当該記憶媒介は記憶媒体インターフェース９２８に挿入される。入力装置９２９は、例えば表示装置９３０のスクリーン上のタッチを検出するように配置されたタッチセンサー、ボタン又はスイッチを含み、ユーザーから入力された動作又は情報を受信する。表示装置９３０は、例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１５８】
無線通信インターフェース９３３は任意のセルラー通信方式（例えば、ＬＴＥやＬＴＥ−Ａｄｖａｎｃｅｄ）をサポートし、無線通信を実行することができる。無線通信インターフェース９３３は通常、例えばＢＢプロセッサ９３４とＲＦ回路９３５を含むことができる。ＢＢプロセッサ９３４は、例えば符号化／復号化、変調／復調、及び多重化／多重化解除を実行するとともに、無線通信に使用される各種のタイプの信号処理を実行することができる。同時に、ＲＦ回路９３５は例えばミキサ、フィルタ、増幅器を含んで、アンテナ９３７を介して無線信号を送受信することができる。無線通信インターフェース９３３はその上にＢＢプロセッサ９３４とＲＦ回路９３５が集積化された１つのチップモジュールであってもよい。図１９に示すように、無線通信インターフェース９３３は複数のＢＢプロセッサ９３４と複数のＲＦ回路９３５を含んでもよい。図１９に、無線通信インターフェース９３３に複数のＢＢプロセッサ９３４と複数のＲＦ回路９３５が含まれる例を示したが、無線通信インターフェース９３３は単一のＢＢプロセッサ９３４又は単一のＲＦ回路９３５を含んでもよい。
【０１５９】
なお、セルラー通信方式の以外、無線通信インターフェース９３３は、例えば短距離無線通信方式、近接通信方式と無線ＬＡＮ方式などの別タイプの無線通信方式をサポートすることができる。この場合、各種の無線通信方式に対して、無線通信インターフェース９３３はＢＢプロセッサ９３４とＲＦ回路９３５を含んでもよい。
【０１６０】
アンテナスイッチ９３６のそれぞれは、無線通信インターフェース９３３に含まれる複数の回路（例えば異なる無線通信方式に使用される回路）間でアンテナ９３７の接続先を切り替える。
【０１６１】
アンテナ９３７のそれぞれは、単一又は複数のアンテナ素子（例えばＭＩＭＯアンテナに含まれる複数のアンテナ素子）を含み、無線通信インターフェース９３３の無線信号の送受信に使用される。図１９に示すように、カーナビゲーション装置９２０は複数のアンテナ９３７を含んでもよい。図１９に、カーナビゲーション装置９２０に複数のアンテナ９３７が含まれる例を示したが、カーナビゲーション装置９２０は単一のアンテナ９３７を含んでもよい。
【０１６２】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１６３】
電池９３８は給電線によって図１９に示すカーナビゲーション装置９２０の各ブロックに電力を提供し、給電線は図面において部分的に点線によって示される。電池９３８は車両から提供した電力を蓄積する。
【０１６４】
図１９に示すカーナビゲーション装置９２０では、図３により説明された送受信ユニット２０３は、無線通信インターフェース９３３によって実現することができる。機能の少なくとも一部も、プロセッサ９２１によって実現できる。例えば、プロセッサ９２１は、要求生成ユニット２０１と選択ユニット２０２の機能を実行することによって、分布に関するユーザー特性に基づく無線伝送リソースプールにおけるリソースの選択を実行することができる。
【０１６５】
本開示の技術はカーナビゲーション装置９２０、車載ネットワーク９４１及び車両モジュール９４２のうち１つ又は複数のブロックが含まれる車載システム（又は車両）９４０として実現することができる。車両モジュール９４２は車両データ（例えば車速、エンジン速度、故障情報）を生成して、生成したデータを車載ネットワーク９４１に出力する。
【０１６６】
以上、本発明の基本的な原理について具体的な実施例を参照して説明した。しかし、当業者にとって、本発明の方法及び装置の全て又は任意のステップや構成要素は、任意のコンピューティング装置（プロセッサや記憶媒体などを含む）又はコンピューティング装置のネットワークにおいて、ハードウェア、ファームウェア、ソフトウェア、又はそれらの組み合わせの形態で実現できることが理解される。これは、本発明の説明を読んだ場合に、その基本的な回路設計知識又は基本的なプログラミング技能を使用して当業者によって実現され得ることである。
【０１６７】
上記した装置における例えば、取得ユニット、確定ユニット、記憶ユニット、要求生成ユニット、選択ユニット等が１つ以上のプロセッサによって実現することができるが、例えば送受信ユニットなどがアンテナ、フィルタ、モデム、及びコーデックなどの回路コンポーネントによって実現することができることは当業者には理解されるものである。
【０１６８】
そのため、本発明は、無線通信システムによってサービスされるエリア内の特定のユーザー装置の分布に関するユーザー特性を取得し、取得したユーザー特性によって特定のユーザー装置が使用する無線伝送リソースプールにおけるリソースの分割を確定するように配置された回路を含む電子装置（１）をさらに提供する。
【０１６９】
本発明は、当該ユーザー装置を識別する装置タイプを含む接続要求を生成し、ネットワーク管理装置の基地局から受信した接続要求に基づく無線伝送リソースプールの分割に関する情報によって、使用するリソースを選択するように配置された回路を含む電子装置（２）をさらに提供する。
【０１７０】
本発明は、管理する無線通信システムのそれぞれにおける特定のユーザー装置の、分布に関するユーザー特性の情報を取得し、取得したユーザー特性の情報によって、特定のユーザー装置が使用する無線伝送リソースプールにおけるリソースの分割を計算し、リソースの分割の情報を複数の無線通信システムに通知するように配置された回路を含む電子装置（３）をさらに提供する。
【０１７１】
そして、本発明は機械可読命令コードが記憶されたプログラム製品をさらに提供する。前記命令コードが装置によって読み取って実行される場合に、上記した本発明の実施例による方法を実行することができる。
【０１７２】
相応的に、前記機械可読命令コードが記憶されたプログラム製品を担う記憶媒体も本発明の開示に含まれる。前記記憶媒体は、フロッピーディスク、光ディスク、光磁気ディスク、メモリカード、メモリスティックなどを含むが、これらに限定されない。
【０１７３】
ソフトウェア又はファームウェアによって本発明を実現する場合に、記憶媒体又はネットワークから専用のハードウェア構成を有するコンピュータ（例えば、図２０に示す汎用コンピュータ２０００）へ当該ソフトウェアを構成するプログラムをインストールして、当該コンピュータは各プログラムがインストールされる場合に、各種の機能などを実行することができる。
【０１７４】
図２０において、中央処理装置（ＣＰＵ）２００１は、読み取り専用メモリ（ＲＯＭ）２００２に記憶されたプログラム又は記憶部分２００８からランダムアクセスメモリ（ＲＡＭ）２００３にロードされたプログラムによって各種の処理を実行する。ＲＡＭ２００３にも、必要に応じて、ＣＰＵが各種の処理などを実行する時に必要なデータが記憶される。ＣＰＵ２００１とＲＡＭ２００３はバス２００４を介して互いに接続される。入力／出力インターフェース２００５もバス２００４に接続される。
【０１７５】
入力部分２００６（キーボード、マウスなどを含む）、出力部分２００７（例えば陰極線管（ＣＲＴ）、液晶ディスプレイ（ＬＣＤ）などのディスプレイ、スピーカなどを含む）、記憶部分２００８（ハードウェアなどを含む）、通信部分２００９（例えばＬＡＮカードやモデムなどのネットワークインターフェースカードを含む）が入力／出力インターフェース２００５に接続される。通信部分２００９は例えばインターネットなどのネットワークを介して通信処理を実行する。必要に応じて、ドライバー２０１０も入力／出力インターフェース２００５に接続することができる。例えば磁気ディスク、光ディスク、光磁気ディスク、半導体メモリなどのリムーバブルメディア２０１１は、必要に応じてドライバー２０１０に装着されて、その中から読み出したコンピュータプログラムが必要に応じて記憶部分２００８にインストールされるようにする。
【０１７６】
ソフトウェアによって上記した一連の処理を実現する場合に、例えばインターネットなどのネットワーク或いは例えばリムーバブルメディア２０１１などの記憶媒体から、ソフトウェアを構成するプログラムをインストールする。
【０１７７】
当業者が理解すべきことは、このような記憶媒体が図２０に示すような、その中にプログラムが記憶され、装置に別途配分してユーザーにプログラムを提供するリムーバブルメディア２０１１に限定されない。リムーバブルメディア２０１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。或いは、記憶媒体は、ＲＯＭ２００２、記憶部分２００８に含まれるハードウェアなどであってもよく、その中にプログラムが記憶され、且つこれらを含める装置と一緒にユーザーに配布する。
【０１７８】
なお、本発明の装置、方法、及びシステムでは、各構成要素又は各ステップが分解及び／又は再結合することができる。これらの分解及び／又は再結合は本発明の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立に実行されてもよい。
【０１７９】
最後、説明する必要なことは、用語「包括」、「含む」又はそのいかなる他の変形は、非排他的な包含を含むことを意味することで、一連の要素を含むプロセス、方法、物品、又は装置は、それらの要素を含むだけではなく、明らかに記載されていない他の要素をさらに含み、或いは、このようなプロセス、方法、物品、又は装置に固有する要素をさらに含む。より多い制限が存在しない場合、「．．．を１つ含む」という文によって限定される要素は、前記要素を含むプロセス、方法、物品又は装置に他の同じ要素がさらに含まれることを排除しない。
【０１８０】
以上、本発明の実施例について図面を参照して詳細に説明したが、上記した実施形態は本発明を限定するものではなく、本発明を説明するためのものであると理解すべきである。当業者にとって、本発明の精神及び範囲から逸脱することがなく、上記した実施形態に対して、様々な修正及び変更が可能である。そのため、本開示の範囲は添付した特許請求の範囲及びその等価物のみによって限定される。
【図１】
2019502331.tif 000011
【図２】
2019502331.tif 000012
【図３】
2019502331.tif 000013
【図４】
2019502331.tif 000014
【図５】
2019502331.tif 000015
【図６】
2019502331.tif 000016
【図７】
2019502331.tif 000017
【図８】
2019502331.tif 000018
【図９】
2019502331.tif 000019
【図１０】
2019502331.tif 000020
【図１１】
2019502331.tif 000021
【図１２】
2019502331.tif 000022
【図１３】
2019502331.tif 000023
【図１４】
2019502331.tif 000024
【図１５】
2019502331.tif 000025
【図１６】
2019502331.tif 000026
【図１７】
2019502331.tif 000027
【図１８】
2019502331.tif 000028
【図１９】
2019502331.tif 000029
【図２０】
2019502331.tif 000030
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
無線通信システムにおけるネットワーク管理側に用いられる装置であって、
前記無線通信システムによってサービスされるエリア内の特定のユーザー装置の分布に関するユーザー特性を取得するように配置された取得ユニットと、
前記取得ユニットが取得したユーザー特性によって、前記特定のユーザー装置が使用する無線伝送リソースプールにおけるリソースの分割を確定するように配置された確定ユニットと、を含む装置。
【請求項２】
前記確定ユニットによって確定された前記分割の情報を前記特定のユーザー装置へ送信するように配置された送受信ユニットをさらに含む、請求項１に記載の装置。
【請求項３】
前記特定のユーザー装置の前記ユーザー特性は、前記エリア内の前記特定のユーザー装置の密度情報によって表される、請求項１に記載の装置。
【請求項４】
前記特定のユーザー装置の前記ユーザー特性は、前記エリア内の単位時間に情報を送信する特定のユーザー装置の密度である、請求項１に記載の装置。
【請求項５】
前記特定のユーザー装置の分布に関するユーザー特性を記憶し更新するように配置された記憶ユニットをさらに含み、
前記取得ユニットはさらに、前記記憶ユニット内のユーザー特性を問い合わせるように配置された、請求項１に記載の装置。
【請求項６】
前記特定のユーザー装置は、前記無線通信システムによってサービスされる第１の特定のユーザー装置と、第２の無線通信システムによってサービスされる第２の特定のユーザー装置とを含み、前記第２の無線通信システムによってサービスされるエリアは、前記無線通信システムによってサービスされるエリアと少なくとも部分的に重複し、前記取得ユニットは、重複エリアについて、前記第１の特定のユーザー装置の分布に関する第１のユーザー特性及び前記第２の特定のユーザー装置の分布に関する第２のユーザー特性を取得し、前記第１のユーザー特性と前記第２のユーザー特性を結合して前記重複エリア内の特定のユーザー装置の前記分布に関するユーザー特性を取得するように配置された、請求項１に記載の装置。
【請求項７】
前記取得ユニットは、前記第２の無線通信システムから前記第２のユーザー特性を取得し、前記第１のユーザー特性を前記第２の無線通信システムに提供するように配置された、請求項６に記載の装置。
【請求項８】
前記第１のユーザー特性と前記第２のユーザー特性は、各々の特定のユーザー装置のアクセス操作及び切断操作に応答して更新される方法、周期的に更新される方法の少なくとも１つの方法でそれぞれ更新される、請求項６に記載の装置。
【請求項９】
前記分割の情報は、スペクトル次元における無線伝送リソースプールの分割の粒度を含み、前記無線伝送リソースプールは、前記分割の粒度に従って複数の基本リソース単位に分割され、各々の特定のユーザー装置は１つの基本リソース単位を使用して通信を行う、請求項１に記載の装置。
【請求項１０】
前記分割の粒度は、前記無線伝送リソースプールにおける基本リソース単位の配置方案に１対１で対応する、請求項９に記載の装置。
【請求項１１】
前記分割の粒度は、前記エリア内の前記特定のユーザー装置の密度が大きいほど、メッセージの承認率が高く、前記分割の粒度が細かくなるように設定される、請求項９に記載の装置。
【請求項１２】
前記分割の粒度は、前記特定のユーザー装置の通信品質とメッセージの承認率が所定のレベルに維持されることを保証する条件で、前記基本リソース単位の数が最も少なくなるように設定される、請求項９に記載の装置。
【請求項１３】
前記確定ユニットは、前記リソースの分割を周期的に計算する、及び／又は、取得した分布の変化が所定の範囲を超える場合に前記リソースの分割を計算するように配置された、請求項１に記載の装置。
【請求項１４】
前記取得ユニットは、中央管理装置から前記ユーザー特性を取得するように配置され、前記中央管理装置は前記エリア内の複数の無線通信システムの操作を調整する、請求項１に記載の装置。
【請求項１５】
前記特定のユーザー装置は、カーネットワーキングユーザー装置、又は、スペクトルアクセスシステムにおいて優先アクセスライセンスを持っている無線通信システムのユーザー装置である、請求項１に記載の装置。
【請求項１６】
無線通信システムにおけるユーザー装置側に用いられる装置であって、
当該ユーザー装置を識別する装置タイプを含む接続要求を生成するように配置された要求生成ユニットと、
ネットワーク管理装置から受信した、前記接続要求に基づく無線伝送リソースプールの分割に関する情報に基づいて、使用するリソースを選択するように配置された選択ユニットと、を含む装置。
【請求項１７】
前記接続要求を前記ネットワーク管理装置へ送信し、前記ネットワーク管理装置から前記分割の情報を受信するように配置された送受信ユニットをさらに含む、請求項１６に記載の装置。
【請求項１８】
前記接続要求は、前記ユーザー装置の位置情報をさらに含む請求項１６に記載の装置。
【請求項１９】
前記分割の情報は、スペクトル次元における前記無線伝送リソースプールの分割の粒度を含み、前記無線伝送リソースプールは、前記分割の粒度に従って複数の基本リソース単位に分割され、前記選択ユニットはスペクトル検知を利用して、使用可能な基本リソース単位を見つける、請求項１６に記載の装置。
【請求項２０】
前記分割の粒度は、前記無線伝送リソースプールにおける基本リソース単位の配置方案に１対１で対応する、請求項１９に記載の装置。
【請求項２１】
前記ユーザー装置の装置タイプは、カーネットワーキングユーザー装置、又は、スペクトルアクセスシステムにおいて優先アクセスライセンスを持っている無線通信システムのユーザー装置を含む、請求項１６に記載の装置。
【請求項２２】
無線通信システムにおけるユーザー装置側に用いられる方法であって、
当該ユーザー装置を識別する装置タイプを含む接続要求を生成することと、
ネットワーク管理装置から受信した、前記接続要求に基づく無線伝送リソースプールの分割に関する情報によって、使用するリソースを選択することと、を含む方法。
【国際調査報告】
2019502331.tif 000031
2019502331.tif 000032
2019502331.tif 000033
2019502331.tif 000034